(57)【特許請求の範囲】
【請求項１】
ユーザ機器（ＵＥ）によるワイヤレス通信の方法であって、
前記ＵＥの位置を決定することと、
リソースのセットのうちの第１のサブセット中で情報をブロードキャストすること、前記情報は、測位のためのシーケンスがブロードキャストされる前記リソースのセットのうちの第２のサブセットに関連付けられたリソース識別子（ＩＤ）と、前記測位のためのシーケンスのシーケンスＩＤと、前記ＵＥの前記位置とを備える、と、
前記リソースのセットのうちの前記第２のサブセットの少なくとも１つのシンボル中でシーケンスをブロードキャストすること、前記少なくとも１つのシンボルは、前記リソースＩＤによって識別され、前記測位のためのシーケンスは、前記シーケンスＩＤによって識別される、と
を備える、方法。
【請求項２】
前記シーケンスは、Ｚａｄｏｆｆ  Ｃｈｕシーケンスであり、前記シーケンスＩＤは、前記Ｚａｄｏｆｆ  Ｃｈｕシーケンスに関連付けられたサイクリックシフトおよびルートインデックスを備える、
請求項１に記載の方法。
【請求項３】
前記リソースのセットのうちの前記第１のサブセットと、前記リソースのセットのうちの前記第２のサブセットと、前記リソースのセットのうちの第３のサブセットとを示す、基地局からのメッセージを受信することをさらに備える、
請求項１に記載の方法。
【請求項４】
前記リソースのセットのうちの前記第１のサブセット中で前記情報をブロードキャストするための少なくとも１つのリソースを決定することをさらに備える、
請求項１に記載の方法。
【請求項５】
前記シーケンスをブロードキャストするための前記リソースのセットのうちの前記第２のサブセットの前記少なくとも１つのシンボルを決定することをさらに備える、
請求項１に記載の方法。
【請求項６】
前記シーケンスを送信するための前記リソースのセットのうちの前記第２のサブセットの前記少なくとも１つのシンボルを示す、基地局からのメッセージを受信することをさらに備え、前記少なくとも１つのシンボルの前記決定は、前記受信したメッセージに基づく、
請求項５に記載の方法。
【請求項７】
ワイヤレス通信のための装置であって、前記装置は、ユーザ機器（ＵＥ）であり、
前記ＵＥの位置を決定するための手段と、
リソースのセットのうちの第１のサブセット中で情報をブロードキャストするための手段、前記情報は、測位のためのシーケンスがブロードキャストされる前記リソースのセットのうちの第２のサブセットに関連付けられたリソース識別子（ＩＤ）と、前記測位のためのシーケンスのシーケンスＩＤと、前記ＵＥの前記位置とを備える、と、
前記リソースのセットのうちの前記第２のサブセットの少なくとも１つのシンボル中でシーケンスをブロードキャストするための手段、前記少なくとも１つのシンボルは、前記リソースＩＤによって識別され、前記測位のためのシーケンスは、前記シーケンスＩＤによって識別される、と
を備える、装置。
【請求項８】
ユーザ機器（ＵＥ）によるワイヤレス通信の方法であって、
複数のＵＥからリソースのセットのうちの第１のサブセット中で情報の第１のセットを受信すること、前記情報の第１のセットは、前記複数のＵＥにおける各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信すること、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定することと、
前記リソースのセットのうちの第３のサブセット中で情報の第２のセットをブロードキャストすること、前記情報の第２のセットは、別のＵＥでの測位決定を可能にする、前記複数のＵＥの識別子と、前記ＵＥに関連付けられた位置と、前記決定されたタイミング情報とを備える、と
を備える、方法。
【請求項９】
前記リソースのセットのうちの前記第１、第２、および第３のサブセットを示す、基地局からのメッセージを受信することをさらに備える、
請求項８に記載の方法。
【請求項１０】
前記リソースのセットのうちの前記第３のサブセット中で前記情報の第２のセットをブロードキャストするための少なくとも１つのリソースを決定することをさらに備える、
請求項８に記載の方法。
【請求項１１】
前記決定は、ランダム選択またはエネルギーベース検出に基づく、
請求項１０に記載の方法。
【請求項１２】
前記情報の第２のセットをブロードキャストするための前記少なくとも１つのリソースを示す、基地局からのメッセージを受信することをさらに備え、前記少なくとも１つのリソースの前記決定は、前記受信したメッセージに基づく、
請求項１０に記載の方法。
【請求項１３】
ワイヤレス通信のための装置であって、前記装置は、ユーザ機器（ＵＥ）であり、
複数のＵＥからリソースのセットのうちの第１のサブセット中で情報の第１のセットを受信するための手段、前記情報の第１のセットは、前記複数のＵＥにおける各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信するための手段、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定するための手段と、
前記リソースのセットのうちの第３のサブセット中で情報の第２のセットをブロードキャストするための手段、前記情報の第２のセットは、別のＵＥでの測位決定を可能にする、前記複数のＵＥの識別子と、前記ＵＥに関連付けられた位置と、前記決定されたタイミング情報とを備える、と
を行うように構成される、装置。
【請求項１４】
ユーザ機器（ＵＥ）によるワイヤレス通信の方法であって、
第１の複数のＵＥからリソースのセットの第１のサブセット中で情報の第１のセットを受信すること、前記情報の第１のセットは、前記第１の複数のＵＥの各ＵＥに関連付けられた識別子を含み、前記第１の複数のＵＥ中の前記各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信すること、ここにおいて、前記シーケンスのセットにおける各シーケンスは、前記それぞれのシーケンスＩＤに関連付けられ、前記シンボルのうちの少なくとも１つのシンボル上で受信され、前記少なくとも１つのシンボルは、前記それぞれのリソースＩＤによって識別される、と、
第２の複数のＵＥから前記リソースのセットのうちの第３のサブセット中で情報の第２のセットを受信すること、前記情報の第２のセットは、前記第２の複数のＵＥによって決定された前記第１の複数のＵＥのタイミング情報と、前記第２の複数のＵＥ中の各ＵＥの位置と、前記第１の複数のＵＥの識別子とを備える、と、
前記受信した情報の第１のセットと、前記受信したシーケンスの第１のセットと、前記受信した情報の第２のセットとに基づいて、前記ＵＥの位置を決定することと
を備える、方法。
【請求項１５】
ワイヤレス通信の装置であって、前記装置は、ユーザ機器（ＵＥ）であり、
第１の複数のＵＥからリソースのセットの第１のサブセット中で情報の第１のセットを受信するための手段、前記情報の第１のセットは、前記第１の複数のＵＥの各ＵＥに関連付けられた識別子を含み、前記第１の複数のＵＥ中の前記各ＵＥのための、前記各ＵＥのための位置と、測位のためのシーケンスのシーケンス識別子（ＩＤ）と、リソースＩＤとを備える、と、
前記複数のＵＥから前記リソースのセットのうちの第２のサブセットのシンボル中でシーケンスのセットを受信するための手段、ここにおいて、前記シーケンスのセットにおける各シーケンスは、前記それぞれのシーケンスＩＤに関連付けられ、前記シンボルのうちの少なくとも１つのシンボル上で受信され、前記少なくとも１つのシンボルは、前記それぞれのリソースＩＤによって識別される、と、
第２の複数のＵＥから前記リソースのセットのうちの第３のサブセット中で情報の第２のセットを受信するための手段、前記情報の第２のセットは、前記第２の複数のＵＥによって決定された前記第１の複数のＵＥのタイミング情報と、前記第２の複数のＵＥ中の各ＵＥの位置と、前記第１の複数のＵＥの識別子とを備える、と、
前記受信した情報の第１のセットと、前記受信したシーケンスの第１のセットと、前記受信した情報の第２のセットとに基づいて、前記ＵＥの位置を決定するための手段と
を備える、装置。
【発明の詳細な説明】
【関連出願の相互参照】
【０００１】
[0001]本願は、２０１５年７月２８日に出願された「protocol for device-to-device positioning」と題する米国特許出願第１４／８１１，４０７号の利益を主張し、これは、その全体として本明細書に参照によって明示的に組み込まれる。
【技術分野】
【０００２】
[0002]本開示は、一般に、通信システムに関し、より具体的には、ワイヤレスネットワークにおけるデバイスツーデバイス（Ｄ２Ｄ）測位のためのプロトコル（たとえば、媒体アクセス制御（ＭＡＣ）プロトコルに関する。
【背景技術】
【０００３】
[0003]ワイヤレス通信システムは、電話通信、ビデオ、データ、メッセージング、およびブロードキャスト等の様々な電気通信サービスを提供するために広く展開されている。典型的なワイヤレス通信システムは、利用可能なシステムリソース（例えば、帯域幅、送信電力）を共有することによって、複数のユーザとの通信をサポートすることが可能な多元接続技術を採用し得る。このような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが、都市、国家、地域、さらには地球規模で通信することを可能にする共通プロトコルを提供するために、様々な電気通信規格において採用されてきた。例となる電気通信規格は、ロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータ可読媒体、および装置が提供される。装置は、ユーザ装置（ＵＥ）であり得る。装置は、装置の位置を決定し得る。装置は、リソースのセットのうちの第１のサブセット中で情報をブロードキャストし得る。情報は、リソースのセットのうちの第２のサブセットに関連付けられたリソース識別子（ＩＤ）と、シーケンスＩＤと、装置の位置とを含み得る。装置は、リソースのセットのうちの第２のサブセットの少なくとも１つのシンボル中でシーケンスをブロードキャストし得、少なくとも１つのシンボルは、リソースＩＤによって識別され、シーケンスは、シーケンスＩＤによって識別される。
【０００６】
[0006]別の態様では、装置は、装置の位置を決定するための手段を含む。装置は、リソースのセットのうちの第１のサブセット中で情報をブロードキャストするための手段を含み、情報は、リソースのセットのうちの第２のサブセットに関連付けられたリソース識別子（ＩＤ）と、シーケンスＩＤと、ＵＥの位置とを備える。装置は、リソースのセットのうちの第２のサブセットの少なくとも１つのシンボル中でシーケンスをブロードキャストするための手段を含み得、少なくとも１つのシンボルは、リソースＩＤによって識別され、シーケンスは、シーケンスＩＤによって識別される。一態様では、シーケンスは、Ｚａｄｏｆｆ  Ｃｈｕシーケンスであり、シーケンスＩＤは、Ｚａｄｏｆｆ  Ｃｈｕシーケンスに関連付けられたサイクリックシフトおよびルートインデックスを備える。別の態様では、シーケンスは、少なくとも１つのシンボルの全帯域幅を占める。１つの構成では、装置は、リソースのセットのうちの第１のサブセットと、リソースのセットのうちの第２のサブセットと、リソースのセットのうちの第３のサブセットとを示す、基地局からのメッセージを受信するための手段を含む。別の構成では、装置は、リソースのセットのうちの第１のサブセット中で情報をブロードキャストするための少なくとも１つのリソースを決定するための手段を含み得る。別の構成では、装置は、シーケンスをブロードキャストするためのリソースのセットのうちの第２のサブセットの少なくとも１つのシンボルを決定するための手段を含む。一態様では、決定は、ランダム選択またはエネルギーベース検出に基づく。別の構成では、装置は、シーケンスを送信するためのリソースのセットのうちの第２のサブセットの少なくとも１つのシンボルを示す、基地局からのメッセージを受信するための手段を含み、少なくとも１つのシンボルの決定は、受信したメッセージに基づく。
【０００７】
[0007]別の態様では、ワイヤレス通信のためのコンピュータ実行可能コードを記憶し、ＵＥに関連付けられたコンピュータ可読媒体が提供される。ＵＥの位置を決定することと、リソースのセットのうちの第１のサブセット中で情報をブロードキャストすること、情報は、リソースのセットのうちの第２のサブセットに関連付けられたリソース識別子（ＩＤ）、シーケンスＩＤ、およびＵＥの位置を備える、と、リソースのセットのうちの第２のサブセットの少なくとも１つのシンボル中でシーケンスをブロードキャストすること、少なくとも１つのシンボルは、リソースＩＤによって識別され、シーケンスは、シーケンスＩＤによって識別される、とを行うためのコードを備えるコンピュータ可読媒体。一態様では、シーケンスは、Ｚａｄｏｆｆ  Ｃｈｕシーケンスであり、シーケンスＩＤは、Ｚａｄｏｆｆ  Ｃｈｕシーケンスに関連付けられたサイクリックシフトおよびルートインデックスを備える。別の態様では、シーケンスは、少なくとも１つのシンボルの全帯域幅を占める。１つの構成では、コンピュータ可読媒体は、リソースのセットのうちの第１のサブセットと、リソースのセットのうちの第２のサブセットと、リソースのセットのうちの第３のサブセットとを示す、基地局からのメッセージを受信することを行うためのコードをさらに備える。別の構成では、コンピュータ可読媒体は、リソースのセットのうちの第１のサブセット中で情報をブロードキャストするための少なくとも１つのリソースを決定することを行うためのコードをさらに備える。別の構成では、コンピュータ可読媒体は、シーケンスをブロードキャストするためのリソースのセットのうちの第２のサブセットの少なくとも１つのシンボルを決定することを行うためのコードをさらに備える。一態様では、決定は、ランダム選択またはエネルギーベース検出に基づく。別の構成では、コンピュータ可読媒体は、シーケンスを送信するためのリソースのセットのうちの第２のサブセットの少なくとも１つのシンボルを示す、基地局からのメッセージを受信することを行うためのコードをさらに備え、少なくとも１つのシンボルの決定は、受信したメッセージに基づく。
【０００８】
[0008]本開示の態様では、方法、コンピュータ可読媒体、および装置が提供される。装置は、ＵＥであり得る。装置は、複数のＵＥからリソースのセットのうちの第１のサブセット中で情報の第１のセットを受信し得る。情報の第１のセットは、複数のＵＥにおける各ＵＥのための、該各ＵＥの位置、シーケンスＩＤ、およびリソースＩＤを含み得る。装置は、複数のＵＥからリソースのセットのうちの第２のサブセットのシンボル中でシーケンスのセットを受信し得る。シーケンスのセットにおける各シーケンスは、それぞれのシーケンスＩＤに関連付けられ、シンボルのうちの少なくとも１つのシンボル上で受信され得る。少なくとも１つのシンボルは、それぞれのリソースＩＤによって識別され得る。装置は、受信されたシーケンスのセットに関連付けられたタイミング情報を決定し得る。装置は、リソースのセットのうちの第３のサブセット中で情報の第２のセットをブロードキャストし得る。情報の第２のセットは、決定されたタイミング情報と、装置に関連付けられた位置と、複数のＵＥの識別子とを含み得る。
【０００９】
[0009]別の態様では、装置は、複数のＵＥからリソースのセットのうちの第１のサブセット中で情報の第１のセットを受信するための手段を含み得る。複数のＵＥにおける各ＵＥのための、該各ＵＥの位置、シーケンスＩＤ、およびリソースＩＤを備える情報の第１のセット。装置は、複数のＵＥからリソースのセットのうちの第２のサブセットのシンボル中でシーケンスのセットを受信するための手段を含み得、シーケンスのセットにおける各シーケンスは、それぞれのシーケンスＩＤに関連付けられ、シンボルのうちの少なくとも１つのシンボル上で受信され、少なくとも１つのシンボルは、それぞれリソースＩＤによって識別される。装置は、受信されたシーケンスのセットに関連付けられたタイミング情報を決定するための手段を備え得る。装置は、リソースのセットのうちの第３のサブセット中で情報の第２のセットをブロードキャストするための手段を含み得、情報の第２のセットは、決定されたタイミング情報と、ＵＥに関連付けられた位置と、複数のＵＥの識別子とを備える。一態様では、シーケンスのセットは、Ｚａｄｏｆｆ  Ｃｈｕシーケンスを含み、それぞれシーケンスＩＤは、Ｚａｄｏｆｆ  Ｃｈｕシーケンスに関連付けられたサイクリックシフトおよびルートインデックスを備える。別の態様では、シーケンスのセットの各シーケンスは、少なくとも１つのシンボルの全帯域幅を占める。１つの構成では、装置は、リソースのセットのうちの第１、第２、および第３のサブセットを示す、基地局からのメッセージを受信するための手段を含む。別の構成では、装置は、リソースのセットのうちの第３のサブセット中で情報の第２のセットをブロードキャストするための少なくとも１つのリソースを決定するための手段を含む。一態様では、決定は、ランダム選択またはエネルギーベース検出に基づく。別の構成では、装置は、情報の第２のセットをブロードキャストするための少なくとも１つのリソースを示す、基地局からのメッセージを受信するための手段を含み、少なくとも１つのリソースの決定は、受信したメッセージに基づく。
【００１０】
[0010]別の態様では、ワイヤレス通信のためのコンピュータ実行可能コードを記憶し、ＵＥに関連付けられたコンピュータ可読媒体が提供される。コンピュータ可読媒体は、複数のＵＥからリソースのセットのうちの第１のサブセット中で情報の第１のセットを受信するためのコードを備え、情報の第１のセットは、複数のＵＥにおける各ＵＥのための、該各ＵＥのための位置と、シーケンス識別子（ＩＤ）と、リソースＩＤとを備える。コンピュータ可読媒体は、複数のＵＥからリソースのセットのうちの第２のサブセットのシンボル中でシーケンスのセットを受信することを行うためのコードを備え、シーケンスのセットにおける各シーケンスは、それぞれのシーケンスＩＤに関連付けられ、シンボルのうちの少なくとも１つのシンボル上で受信され、少なくとも１つのシンボルは、それぞれリソースＩＤによって識別される。コンピュータ可読媒体は、受信されたシーケンスのセットに関連付けられたタイミング情報を決定することを行うためのコードを備える。コンピュータ可読媒体は、リソースのセットのうちの第３のサブセット中で情報の第２のセットをブロードキャストすることを行うためのコードを備え、情報の第２のセットは、決定されたタイミング情報と、ＵＥに関連付けられた位置と、複数のＵＥの識別子とを備える。一態様では、シーケンスのセットは、Ｚａｄｏｆｆ  Ｃｈｕシーケンスを含み、それぞれシーケンスＩＤは、Ｚａｄｏｆｆ  Ｃｈｕシーケンスに関連付けられたサイクリックシフトおよびルートインデックスを備える。別の態様では、シーケンスのセットの各シーケンスは、少なくとも１つのシンボルの全帯域幅を占める。 １つの構成では、コンピュータ可読媒体は、リソースのセットのうちの第１、第２、および第３のサブセットを示す、基地局からのメッセージを受信することを行うためのコードをさらに備える。別の構成では、コンピュータ可読媒体は、リソースのセットのうちの第３のサブセット中で情報の第２のセットをブロードキャストするための少なくとも１つのリソースを決定することを行うためのコードをさらに備える。一態様では、決定は、ランダム選択またはエネルギーベース検出に基づく。別の構成では、コンピュータ可読媒体は、情報の第２のセットをブロードキャストするための少なくとも１つのリソースを示す、基地局からのメッセージを受信することを行うためのコードをさらに備え、少なくとも１つのリソースの決定は、受信したメッセージに基づく。
【００１１】
[0011]本開示の態様では、方法、コンピュータ可読媒体、および装置が提供される。ＵＥによるワイヤレス通信の方法は、第１の複数のＵＥからリソースのセットのうちの第１のサブセット中で情報の第１のセットを受信することを備え、情報の第１のセットは、第１の複数のＵＥの各ＵＥに関連付けられた識別子を備え、第１の複数のＵＥにおける各ＵＥのための、該各ＵＥのための位置と、シーケンス識別子（ＩＤ）と、リソースＩＤとをさらに備える。方法は、第１の複数のＵＥからリソースのセットのうちの第２のサブセット中でシーケンスの第１のセットを受信することを備え、シーケンスの第１のセットにおける各シーケンスは、それぞれのシーケンスＩＤに関連付けられ、それぞれリソースＩＤによって識別される少なくとも１つのシンボル上で受信される。方法は、第２の複数のＵＥからリソースのセットのうちの第３のサブセット中で情報の第２のセットを受信することを備え、情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを備え、シーケンスの第２のセットに関連付けられたＵＥの識別子と、第１の複数のＵＥの該各ＵＥに関連付けられた識別子は、共通の識別子を有する。方法は、受信した情報の第１のセットと、受信したシーケンスの第１のセットと、受信した情報の第２のセットに基づいて、ＵＥの位置を決定することを備える。一態様では、シーケンスの第１のセットは、Ｚａｄｏｆｆ  Ｃｈｕシーケンスを含み、シーケンスＩＤの各々は、Ｚａｄｏｆｆ  Ｃｈｕシーケンスに関連付けられたサイクリックシフトおよびルートインデックスを備える。別の態様では、シーケンスの第１のセットの各シーケンスは、少なくとも１つのシンボルの全帯域幅を占める。１つの構成では、方法は、リソースのセットのうちの第１のサブセットと、リソースのセットのうちの第２のサブセットと、リソースのセットのうちの第３のサブセットとを示す、基地局からのメッセージを受信することをさらに備える。一態様では、リソースのセットのうちの第１のサブセットと、リソースのセットのうちの第２のサブセットと、リソースのセットのうちの第３のサブセットとが周期的に現れる。別の構成では、ＵＥの位置を決定することは、受信したシーケンスの第１のセットに基づいてタイミング情報の第２のセットを決定することと、タイミング情報の第１のセットの第１のサブセットと、タイミング情報の第２のセットの第２のサブセットとに基づいてＵＥの位置を決定することとを備える。
【００１２】
[0012]別の態様では、装置が提供され、装置は、ＵＥであり得る。装置は、第１の複数のＵＥからリソースのセットのうちの第１のサブセット中で情報の第１のセットを受信するための手段を含み、情報の第１のセットは、第１の複数のＵＥの各ＵＥに関連付けられた識別子を備え、第１の複数のＵＥにおける各ＵＥのための、該各ＵＥのための位置と、シーケンス識別子（ＩＤ）と、リソースＩＤとをさらに備える。装置は、第１の複数のＵＥからリソースのセットのうちの第２のサブセット中でシーケンスの第１のセットを受信するための手段を含み得、シーケンスの第１のセットにおける各シーケンスは、それぞれのシーケンスＩＤに関連付けられ、それぞれリソースＩＤによって識別される少なくとも１つのシンボル上で受信される。装置は、第２の複数のＵＥからリソースのセットのうちの第３のサブセット中で情報の第２のセットを受信するための手段を含み得、情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを備え、シーケンスの第２のセットに関連付けられたＵＥの識別子と、第１の複数のＵＥの該各ＵＥに関連付けられた識別子は、共通の識別子を有する。装置は、受信した情報の第１のセットと、受信したシーケンスの第１のセットと、受信した情報の第２のセットに基づいて、ＵＥの位置を決定するための手段を含み得る。一態様では、シーケンスの第１のセットは、Ｚａｄｏｆｆ  Ｃｈｕシーケンスを含み、シーケンスＩＤの各々は、Ｚａｄｏｆｆ  Ｃｈｕシーケンスに関連付けられたサイクリックシフトおよびルートインデックスを備える。別の態様では、シーケンスの第１のセットの各シーケンスは、少なくとも１つのシンボルの全帯域幅を占める。１つの構成では、装置は、リソースのセットのうちの第１のサブセットと、リソースのセットのうちの第２のサブセットと、リソースのセットのうちの第３のサブセットとを示す、基地局からのメッセージを受信するための手段を含み得る。一態様では、リソースのセットのうちの第１のサブセットと、リソースのセットのうちの第２のサブセットと、リソースのセットのうちの第３のサブセットとが周期的に現れる。別の構成では、ＵＥの位置を決定するための手段は、受信したシーケンスの第１のセットに基づいてタイミング情報の第２のセットを決定することと、タイミング情報の第１のセットの第１のサブセットと、タイミング情報の第２のセットの第２のサブセットとに基づいてＵＥの位置を決定することとを行うように構成され得る。
【００１３】
[0013]別の態様では、装置が提供され、装置は、ＵＥであり得る。装置は、メモリと、メモリに結合された少なくとも１つのプロセッサとを含み得る。少なくとも１つのプロセッサは、第１の複数のＵＥからリソースのセットのうちの第１のサブセット中で情報の第１のセットを受信することを行うように構成され得、情報の第１のセットは、第１の複数のＵＥの各ＵＥに関連付けられた識別子を備え、第１の複数のＵＥにおける各ＵＥのための、該各ＵＥのための位置と、シーケンス識別子（ＩＤ）と、リソースＩＤとをさらに備える。少なくとも１つのプロセッサは、第１の複数のＵＥからリソースのセットのうちの第２のサブセット中でシーケンスの第１のセットを受信することを行うように構成され得、シーケンスの第１のセットにおける各シーケンスは、それぞれのシーケンスＩＤに関連付けられ、それぞれリソースＩＤによって識別される少なくとも１つのシンボル上で受信される。少なくとも１つのプロセッサは、第２の複数のＵＥからリソースのセットのうちの第３のサブセット中で情報の第２のセットを受信することを行うように構成され得、情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを備え、シーケンスの第２のセットに関連付けられたＵＥの識別子と、第１の複数のＵＥの該各ＵＥに関連付けられた識別子は、共通の識別子を有する。少なくとも１つのプロセッサは、受信した情報の第１のセットと、受信したシーケンスの第１のセットと、受信した情報の第２のセットに基づいて、装置の位置を決定することを行うように構成され得る。一態様では、シーケンスの第１のセットは、Ｚａｄｏｆｆ  Ｃｈｕシーケンスを含み、シーケンスＩＤの各々は、Ｚａｄｏｆｆ  Ｃｈｕシーケンスに関連付けられたサイクリックシフトおよびルートインデックスを備える。別の態様では、シーケンスの第１のセットの各シーケンスは、少なくとも１つのシンボルの全帯域幅を占める。１つの構成では、少なくとも１つのプロセッサは、リソースのセットのうちの第１のサブセットと、リソースのセットのうちの第２のサブセットと、リソースのセットのうちの第３のサブセットとを示す、基地局からのメッセージを受信することを行うように構成され得る。一態様では、リソースのセットのうちの第１のサブセットと、リソースのセットのうちの第２のサブセットと、リソースのセットのうちの第３のサブセットとが周期的に現れる。別の構成では、少なくとも１つのプロセッサは、受信したシーケンスの第１のセットに基づいてタイミング情報の第２のセットを決定することと、タイミング情報の第１のセットの第１のサブセットと、タイミング情報の第２のセットの第２のサブセットとに基づいてＵＥの位置を決定することによって装置の位置を決定することを行うように構成され得る。
【００１４】
[0014]別の態様では、ワイヤレス通信のためのコンピュータ実行可能コードを記憶し、ＵＥに関連付けられたコンピュータ可読媒体が提供される。コンピュータ可読媒体は、第１の複数のＵＥからリソースのセットのうちの第１のサブセット中で情報の第１のセットを受信することを行うためのコードを備え、情報の第１のセットは、第１の複数のＵＥの各ＵＥに関連付けられた識別子を備え、複数のＵＥにおける各ＵＥのための、該各ＵＥのための位置と、シーケンス識別子（ＩＤ）と、リソースＩＤとをさらに備える。コンピュータ可読媒体は、第１の複数のＵＥからリソースのセットのうちの第２のサブセット中でシーケンスの第１のセットを受信することを行うためのコードを備え、シーケンスの第１のセットにおける各シーケンスは、それぞれのシーケンスＩＤに関連付けられ、それぞれリソースＩＤによって識別される少なくとも１つのシンボル上で受信される。コンピュータ可読媒体は、第２の複数のＵＥからリソースのセットのうちの第３のサブセット中で情報の第２のセットを受信することを行うためのコードを備え、情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを備え、シーケンスの第２のセットに関連付けられたＵＥの識別子と、第１の複数のＵＥの該各ＵＥに関連付けられた識別子は、共通の識別子を有する。コンピュータ可読媒体は、受信した情報の第１のセットと、受信したシーケンスの第１のセットと、受信した情報の第２のセットに基づいて、ＵＥの位置を決定することを行うためのコードを備える。一態様では、シーケンスの第１のセットは、Ｚａｄｏｆｆ  Ｃｈｕシーケンスを含み、シーケンスＩＤの各々は、Ｚａｄｏｆｆ  Ｃｈｕシーケンスに関連付けられたサイクリックシフトおよびルートインデックスを備える。別の態様では、シーケンスの第１のセットの各シーケンスは、少なくとも１つのシンボルの全帯域幅を占める。１つの構成では、コンピュータ可読媒体は、リソースのセットのうちの第１のサブセットと、リソースのセットのうちの第２のサブセットと、リソースのセットのうちの第３のサブセットとを示す、基地局からのメッセージを受信することを行うためのコードをさらに備える。一態様では、リソースのセットのうちの第１のサブセットと、リソースのセットのうちの第２のサブセットと、リソースのセットのうちの第３のサブセットとが周期的に現れる。別の構成では、ＵＥの位置を決定するためのコードは、受信したシーケンスの第１のセットに基づいてタイミング情報の第２のセットを決定することと、タイミング情報の第１のセットの第１のサブセットと、タイミング情報の第２のセットの第２のサブセットとに基づいてＵＥの位置を決定することとを行うためのコードをさらに備える。
【図面の簡単な説明】
【００１５】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】デバイスツーデバイス通信システムの図。
【図８】ワイヤレスネットワークにおいてＤ２Ｄ測位を使用してデバイス位置を決定するための方法を示す図。
【図９Ａ】ワイヤレスネットワークにおいてＤ２Ｄ測位を実行するための例示的な方法を示す図。
【図９Ｂ】ワイヤレスネットワークにおいてＤ２Ｄ測位を実行するための例示的な方法を示す図。
【図１０】ワイヤレス通信の方法のフローチャート。
【図１１】ワイヤレス通信の方法のフローチャート。
【図１２】ワイヤレス通信の方法のフローチャート。
【図１３】例示的な装置中の異なるモジュール／手段／コンポーネント間のデータフローを示す概念データフロー図。
【図１４】処理システムを採用する装置のためのハードウェア実装形態の一例を示す図。
【図１５】例示的な装置中の異なるモジュール／手段／コンポーネント間のデータフローを示す概念データフロー図。
【図１６】処理システムを採用する装置のためのハードウェア実装形態の一例を示す図。
【図１７】例示的な装置中の異なるモジュール／手段／コンポーネント間のデータフローを示す概念データフロー図。
【図１８】処理システムを採用する装置のためのハードウェア実装形態の一例を示す図。
【発明の詳細な説明】
【００１６】
[0033]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造およびコンポーネントがブロック図の形式で示される。
【００１７】
[0034]次に、様々な装置および方法に関して電気通信システムのいくつかの態様が提示される。これらの装置および方法が、以下の発明を実施するための形態において説明され、（「要素」と総称される）様々なブロック、モジュール、コンポーネント、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課される設計制約に依存する。
【００１８】
[0035]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１９】
[0036]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００２０】
[0037]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００２１】
[0038]Ｅ−ＵＴＲＡＮは、発展型ノードＢ（ｅＮＢ：evolved Node B）１０６と他のｅＮＢ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディングスキーム（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、また
は何らかの他の好適な用語で呼ばれることもある。
【００２２】
[0039]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを
担い得る。
【００２３】
[0040]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことがある。さらに、「ｅＮＢ」、「基地局」、および「セル」という用語は、本明細書では互換的に使用され得る。
【００２４】
[0041]アクセスネットワーク２００によって採用される変調および多元接続スキームは、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００２５】
[0042]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００２６】
[0043]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２７】
[0044]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内でいくつかのサブキャリアを介してデータを変調するスペクトル拡散技法である。サブキャリアは正確な周波数で離間される。離間は、受信機がサブキャリアからデータを復元することを可能にする「直交性」を与える。 時間領域では、ＯＦＤＭシンボル間干渉をなくすために、ガード間隔（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２８】
[0045]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７つの連続するＯＦＤＭシンボルを含んでいる。 拡張サイクリックプレフィックスの場合、リソースブロックは、合計７２個のリソース要素について、周波数領域中に１２個の連続するサブキャリアを含んでおり、時間領域中に６つの連続するＯＦＤＭシンボルを含んでいる。Ｒ３０２、３０４として示されるリソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調スキームに依存する。したがって、ＵＥが受信するリソースブロックが多いほど、また変調スキームが高いほど、ＵＥのデータレートは高くなる。
【００２９】
[0046]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００３０】
[0047]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００３１】
[0048]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００３２】
[0049]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３の３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００３３】
[0050]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３４】
[0051]ＰＤＣＰサブレイヤ５１４は、異なる無線ベアラと論理チャネルとの間の多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担う。ＭＡＣサブレイヤ５１０はまた、ＨＡＲＱ動作を担う。
【００３５】
[0052]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００３６】
[0053]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作、紛失パケットの再送信、およびＵＥ６５０へのシグナリングを担う。
【００３７】
[0054]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調スキーム（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調スキームを決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３８】
[0055]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３９】
[0056]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、その後、Ｌ２レイヤの上方のすべてのプロトコルレイヤを表す、データシンク６６２に与えられる。また、様々な制御信号が、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００４０】
[0057]ＵＬでは、データソース６６７が、コントローラ／プロセッサ６５９に上位レイヤパケットを与えるために使用される。データソース６６７はＬ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担う。
【００４１】
[0058]ｅＮＢ６１０によって送信される基準信号またはフィードバックからの、チャネル推定器６５８によって導出されるチャネル推定値は、適切なコーディングおよび変調スキームを選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００４２】
[0059]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実装し得る。
【００４３】
[0060]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００４４】
[0061]図７はデバイスツーデバイス通信システム７００の図である。デバイスツーデバイス通信システム７００は複数のワイヤレスデバイス７０４、７０６、７０８、７１０を含む。デバイスツーデバイス通信システム７００は、たとえば、ワイヤレスワイドエリアネットワーク（ＷＷＡＮ）などのセルラー通信システムと重なり得る。ワイヤレスデバイス７０４、７０６、７０８、７１０の一部は、ＤＬ／ＵＬ  ＷＷＡＮスペクトルを使用してデバイスツーデバイス（またはピアツーピア）通信において互いに通信し、一部は基地局７０２と通信し、一部は両方を行い得る。たとえば、図７に示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６は基地局７０２とも通信している。
【００４５】
[0062]以下で説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置がＬＴＥのコンテキスト内で説明される。ただし、例示的な方法および装置は、様々な他のワイヤレスデバイスツーデバイス通信システムにより一般的に適用可能であることを当業者は理解されよう。
【００４６】
[0063]ＬＴＥネットワークなど、ワイヤレスネットワークでは、いくつかのＵＥはそれらのロケーションを知っていることがあり、他のＵＥは知らないことがある。ＵＥのロケーションを知っているＵＥは、全地球測位システム（ＧＰＳ）技術を使用してそれらのロケーションを決定し得る。また別の態様では、ＵＥは、事前構成された固定ロケーションを有し得る。ＵＥのロケーションを知らないＵＥは、ＧＰＳがないことがあるか、または屋内環境にあり得る。いくつかの事例では、ＵＥのロケーションを知らないＵＥは、基地局から受信された信号を使用してそれら自体を測位し得る。しかしながら、基地局シグナリングを使用する測位は、基地局からＵＥまでの距離が、直接経路の欠如（たとえば、非見通し線）により正確に推定することが困難であり得るので、不正確であり得る。したがって、推定の誤差が著しいことがある（たとえば、５０メートルまたはそれ以上）。
【００４７】
[0064]一態様では、ＵＥのロケーションを知らないＵＥは、Ｄ２Ｄ測位を使用してＵＥのロケーションを知られているＵＥから、それのロケーションを決定し得る。Ｄ２Ｄシグナリングを通したＤ２Ｄ測位は、到着時間（ＴＯＡ：time of arrival）または到着時間差（ＴＤＯＡ：time difference of arrival）などの技法を使用して実行され得る。ＵＥは、ＴＯＡ／ＴＤＯＡと近接ＵＥの知られている位置とを使用してそれ自体を測位しであり得る。
【００４８】
[0065]ワイヤレスネットワークにおける測位についていくつかの課題がある。１つの課題は帯域幅である。ＬＴＥでは、たとえば、最大帯域幅はキャリアごとに２０ＭＨｚであり得、これは、推定ＴＯＡ／ＴＤＯＡの精度を制限し得る。推定精度は、多くのデバイスからＤ２Ｄ信号を受信することによって、および良好な測定値を選定することによって改善され得る。別の課題は、最高数マイクロ秒であり得る、ＵＥの間のタイミングオフセットである。タイミングオフセットは、ＴＯＡまたはＴＤＯＡを推定する際に著しい不正確さを生じ得る。また別の課題は電力消費である。ＵＥが測位を実行するためにＲＲＣ＿ＣＯＮＮＣＴＥＤでなければならない場合、測位は電力およびリソースを消費し得る。したがって、ＵＥがＲＲＣ＿ＣＯＮＮＥＣＴＥＤモードまたはＲＲＣ＿ＩＤＬＥモードのいずれかにおいてそれらのロケーションを決定することを可能にするために、Ｄ２Ｄ測位を使用する必要がある。
【００４９】
[0066]図８は、ワイヤレスネットワーク８００においてＤ２Ｄ測位を使用してデバイス位置を決定するための方法を示す。図８を参照すると、基地局８０２（たとえば、ｅＮＢ）が、ＵＥ８０４、８０６、８０８、８１０を含むセルに関連付けられ得る。セルはまた、図示されていない他のＵＥを含み得る。ＵＥ８０４、８０６、８０８は、ＵＥ８０４、８０６、８０８の各々がそれのそれぞれの位置／ロケーションを知っているＵＥのグループであり得る。それらの位置に気付いているＵＥは、基準ＵＥまたは基準ノードと呼ばれることがある。したがって、ＵＥ８０４、８０６、８０８は、基準ＵＥと呼ばれることがある。基準ＵＥは、ＵＥ８１０がＵＥ８１０の位置を決定するのを助けるために、Ｄ２Ｄ測位メッセージを送信し得る。
【００５０】
[0067]図８を参照すると、ＵＥ８０４、８０６、８０８の各々は、ＵＥ８１０にそれぞれの測位メッセージ８１２、８１４、８１６（たとえば、Ｄ２Ｄメッセージ）を送信し得る。各それぞれの測位メッセージ８１２、８１４、８１６は、それぞれのＵＥ８０４、８０６、８０８の各々のロケーション情報（たとえば、ｘおよびｙ座標）とともに、それぞれの測位メッセージ８１２、８１４、８１６が送信された時間を示し得る。ＵＥ８０４、８０６、８０８、８１０間に同期オフセットがない理想的な場合には、ＵＥ８１０は、それぞれ、ＵＥ８０４、８０６、８０８に関連付けられた３つの測位メッセージ８１２、８１４、８１６の各々のためのＴＯＡを決定し得る。ＴＯＡとそれぞれの測位メッセージ８１２、８１４、８１６が送られた時間との間の差に基づいて、ＵＥ８１０は、ＵＥ８０４、８０６、８１０の各々とＵＥ８１０との間の距離を決定し得る。たとえば、
【００５１】
【数１】
0006732884.tif 000002
【００５２】
は、ＵＥ８０４とＵＥ８１０との間の測定された距離（たとえば、Δｔ＊ｃ）を表し得、
【００５３】
【数２】
0006732884.tif 000003
【００５４】
は、ＵＥ８０６とＵＥ８１０との間の測定された距離を表し得、
【００５５】
【数３】
0006732884.tif 000004
【００５６】
は、ＵＥ８０８とＵＥ８１０との間の測定された距離を表し得る。この例では、Δｔは、ＴＯＡと測位メッセージが送られた時間との間の差を表し、ｃは光速を表す。
【００５７】
[0068]一態様では、ＵＥ８１０は、３つの円形領域８１８、８２０、８２２を使用してそれのロケーションを決定し得る。３つの円形領域８１８、８２０、８２２は、ＵＥ８０４、８０６、８０８とＵＥ８１０との間の３つの測定された距離
【００５８】
【数４】
0006732884.tif 000005
【００５９】
、ならびに、それぞれ、ＵＥ８０４、８０６、８０８の各々の位置を表す、座標の知られているセット（ｘ1，ｙ1）、（ｘ2，ｙ2）、および（ｘ3，ｙ3）に基づき得る。知られている座標は円形領域の中心を表し得、距離は円形領域の半径を表し得る。ＵＥ８１０は、３つの円形領域８１８、８２０、８２２が交差する場所に基づいてそれの位置を決定し得る。
【００６０】
[0069]別の態様では、ＵＥ８０４は、知られている座標（ｘ1，ｙ1）に関連付けられ得、ＵＥ８０６は、知られている座標（ｘ2，ｙ2）に関連付けられ得、ＵＥ８０８は、知られている座標（ｘ3，ｙ3）に関連付けられ得、ＵＥ８１０は、知られていない座標（ｘ4，ｙ4）に関連付けられ得る。以下の式を使用して、ＵＥ８１０は、（ｘ4，ｙ4）の値を求めることによってそれのロケーションを決定し得る。
【００６１】
【数５】
0006732884.tif 000006
【００６２】
[0070]しかしながら、これらの例は、ＵＥ８０４、８０６、８０８、８１０間のタイミングオフセットを考慮しない。ＵＥ間の小さいタイミングオフセットが著しい不正確さにつながり得る。たとえば、２つの基準ＵＥ間の１００ｎｓタイミングオフセットが、３０メートル測位誤差（たとえば、１００ｎｓ＊３×１０8ｍ／ｓ）を生じ得る。タイミングオフセット問題を説明するために、図８を参照しながら、グローバルクロックがｔによって示され得ると仮定する。ＵＥ８０４は、時間ｔ1において測位メッセージ８１２を送信するように構成され得、ＵＥ８０６は、時間ｔ2において測位メッセージ８１４を送信するように構成され得、ＵＥ８０８は、時間ｔ3において測位メッセージ８１６を送信するように構成され得る。ＵＥ８０４、８０６、８０８の各々は、ＵＥ８０４がｔ1＋ε1において実際に送信し、ＵＥ８０６がｔ2＋ε2において実際に送信し、ＵＥ８０８がｔ3＋ε3において実際に送信するように、グローバルクロックｔからのタイミング誤差／オフセットを有し得る。ＵＥ８１０がタイミングオフセットε1、ε2、ε3の各々に気付いていないことがあるので、ＵＥ８１０は、ＵＥ８０４、８０６、８０８とＵＥ８１０との間の測定された距離
【００６３】
【数６】
0006732884.tif 000007
【００６４】
を正確に決定しないことがある。したがって、ＲＲＣ＿ＩＤＬＥおよびＲＲＣ＿ＣＯＮＮＥＣＴＥＤ  ＵＥがＤ２Ｄ測位を使用してそれらの位置を決定することを可能にするプロトコルが必要とされる。
【００６５】
[0071]図９Ａ−図９Ｂは、ワイヤレスネットワークにおいてＤ２Ｄ測位を実行するための例示的な方法を示す。図９Ａを参照すると、基地局９０２（たとえば、ｅＮＢ）が、ＵＥ９０４、９０６、９０８、９１０、９１２、９１４を含むセルに関連付けられ得る。セルは、図示されていない他のＵＥを含み得る。ＵＥ９０４、９０６、９０８、９１０、９１２は各々、それらそれぞれの位置／ロケーション（ｘ1，ｙ1）、（ｘ2，ｙ2）、（ｘ3，ｙ3）、（ｘ4，ｙ4）、（ｘ5，ｙ5）を知っており、ＵＥ９１４は、そのロケーション（ｘ0，ｙ0）を知り得ない。図９Ａでは、ＵＥ９０４、９０６、９０８、９１０、９１２は、ＵＥの第１のセットに関連付けられ、それらは、それらのロケーションを知っている（たとえば、それらのロケーションを知っているＵＥのセットは、セットＡで示され得る）。それらのロケーションを知らない、ＵＥ９１４および任意の他のＵＥは、ＵＥの第２のセットに関連付けられ得る（たとえば、それらのロケーションを知らないＵＥのセットは、セットＢで示され得る）。ＵＥの第１のセット内である、ＵＥ９０４、９０６、９０８、９１０は、第１の基準ＵＥタイプであり、ＵＥ９１２は、第２の基準ＵＥタイプ（たとえば、スーパー基準ＵＥ）であり得る。第１の基準ＵＥタイプのＵＥは、測位のためにシーケンス（たとえば、Ｚａｄｏｆｆ  Ｃｈｕシーケンス）をブロードキャストし得る。第２の基準ＵＥタイプのＵＥは、第１の基準ＵＥタイプのＵＥからブロードキャストされたシーケンスに関連付けられた、到着時間または到着の時間差のような、タイミング情報をブロードキャストし得る。ＵＥ９１４のロケーション／位置を決定するために、ＵＥ９１４は、測位のための分散ＭＡＣプロトコルを利用し得る。ＵＥ９１４は、ＵＥ９１４に関連付けられた位置を決定するために、リソースのセット（たとえば測位位相（positioning phase））を利用し得る。
【００６６】
[0072]図９Ｂは、Ｄ２Ｄ測位のために利用され得るリソースのセット９５０を示す。リソースのセット９５０は、多数の連続サブフレームを含み得る。一態様では、リソースのセット９５０は、周期的に（たとえば、５秒ごとに）現れ得る。ＵＥ（たとえば、ＵＥ９１４）がＲＲＣ＿ＩＤＬＥである場合、その後、ＵＥは、電力を節約するためにリソースのセット９５０のうちの隣接期間の間スリープし得る。
【００６７】
[0073]図９Ｂに示されるように、リソースのセット９５０は、３つのリソースのサブセット：ステージ１に対応するリソースのセット９５０のうちの第１のサブセット、ステージ２に対応するリソースのセット９５０のうちの第２のサブセット、およびステージ３に対応するリソースのセット９５０のうちの第３のサブセットを含み得る。一態様では、リソースの第１のおよび第３のサブセットにおける各列は、対応するサブキャリアを持つサブフレームに対応し、列内の各ブロックは、サブフレーム内のサブキャリアのサブセットに関連付けられ得る。リソースの第２のサブセットにおける各列は、シンボル（たとえば、ＯＦＤＭシンボル）に対応し、シンボルに関連付けられた対応するサブキャリアの全てを含み得る。
【００６８】
[0074]一態様では、基地局９０２は、ＵＥ９０４、９０６、９０８、９１０、９１２、９１４に、リソースのセット９５０を含むメッセージを送信し得る。メッセージは、リソースのセット９５０のうちの第１のサブセット、第２のサブセット、および／または第３のサブセットを示し得る。ＵＥ９０４、９０６、９０８、９１０、９１２、９１４の各々は、基地局から受信したメッセージに基づいてリソースのセット９５０のうちの第１のサブセット、第２のサブセット、および／または第３のサブセットの各々と、リソースセット９５０とを識別し得る。
【００６９】
[0075]図９Ａを参照すると、第１の基準ＵＥタイプの各ＵＥは、その位置を決定し得る。たとえば、ＵＥ９０４は、その位置（ｘ1，ｙ1）を決定し、ＵＥ９０６は、その位置（ｘ2，ｙ2）を決定し、ＵＥ９０８は、その位置（ｘ3，ｙ3）を決定し、ＵＥ９１０は、その位置（ｘ4，ｙ4）を決定する。一態様では、各それぞれのＵＥの位置は、ＧＰＳ技術に基づいて決定され得る。別の態様では、各それぞれのＵＥは、固定されたロケーションにあり得、位置は、事前構成された設定／情報に基づいて決定され得る。同様に、第２の基準ＵＥタイプの各ＵＥは、その位置を決定し得る。たとえば、ＵＥ９１２は、その位置（ｘ5，ｙ5）を決定し得る。しかしながら、ＵＥ９１４は、その位置（ｘ0，ｙ0）を知り得ない。
【００７０】
[0076]リソースのセット９５０のうちの第１のサブセットでは、第１の基準ＵＥタイプの各ＵＥは、リソースのセット９５０のうちの第１のサブセット中で情報をブロードキャストし得る。たとえば、ＵＥ９０４は、リソースのセットのうちの第１のサブセット中で情報をブロードキャストし得る。情報は、ＵＥ９０４を識別する識別子、ＵＥ９０４の位置、シーケンスＩＤ、およびリソースＩＤを含み得る。シーケンスＩＤは、リソースのセット９５０のうちの第２のサブセット中でブロードキャストされるべき測位シーケンスを識別し得る。一態様では、シーケンスは、Ｚａｄｏｆｆ  Ｃｈｕシーケンスであり、シーケンスＩＤは、Ｚａｄｏｆｆ  Ｃｈｕシーケンスのサイクリックシフトおよびルートインデックスに対応し得る。他のシーケンスおよびシーケンスＩＤの対応するフォームがさらに使用され得る。リソースＩＤは、シーケンスがＵＥ９０４によって送信され得るリソースのセット９５０のうちの第２のサブセットにおける少なくとも１つのシンボルを識別し得る。一態様では、リソースＩＤは、サブフレーム内の１つまたは複数のシンボルの相対位置を示し得る。一態様では、ＵＥ９０４は、シーケンスをブロードキャストする、リソースのセット９５０のうちの第２のサブセットにおける少なくとも１つのシンボルを決定し得る。一態様では、ＵＥは、たとえばランダム選択またはエネルギーベース検出によるような、少なくとも１つのシンボルを自立的に決定し得る。エネルギーベース検出では、ＵＥ９０４は、リソースのセット９５０のうちの第２のサブセットにおける少なくとも１つのシンボルのエネルギーレベルを検出し、シーケンスをブロードキャストするために検出された最低のエネルギーを持つ少なくとも１つのシンボルを選択し得る。別の事例では、ＵＥ９０４は、リソースのセット９５０のうちの第２のサブセット内でどのシンボルを、シーケンスをブロードキャストするために選択するかを示す、基地局からのメッセージを受信し得る。この態様では、ＵＥ９０４は、基地局９０２によって示されたシンボルを選び得る、またはシンボルのうちから選び得る。一態様では、基地局９０２がリソースのセット９５０のうちの第２のサブセット内でどのシンボルを選択するかを示すメッセージは、上記で議論したようなリソースのセット９５０のうちの第１、第２、および第３のサブセットを示すのと同じメッセージであり得る。
【００７１】
[0077]一構成では、リソースのセット９５０のうちの第１のサブセット中の情報をブロードキャストすることに関して、ＵＥ９０４は、少なくとも１つのリソースを決定する。それは、情報をブロードキャストするためにリソースのセット９５０のうちの第１のサブセット内の１つのサブフレームおよびｍ1個のリソースブロック（たとえば、サブフレーム内のリソース９６０）を占有し得る。一態様では、ＵＥ９０４は、たとえばランダム選択またはエネルギーベース検出によって、自立的に、少なくとも１つのリソースを決定し得る。エネルギーベース検出では、ＵＥ９０４は、リソースのセット９５０のうちの第１のサブセットにおける少なくとも１つのリソースのエネルギーレベルを検出し、情報をブロードキャストするために検出された最低のエネルギーを持つ少なくとも１つのリソースを選択し得る。別の態様では、ＵＥ９０４は、リソースのセット９５０のうちの第１のサブセット内どのリソースを、情報をブロードキャストするために選択するかを示す、基地局からのメッセージを受信し得る。この態様では、ＵＥ９０４は、基地局９０２によって示された、リソースを選び得る、またはリソース内から選び得る。一態様では、基地局９０２がリソースのセット９５０のうちの第１のサブセット内でどのリソースを選択するかを示すメッセージは、上記で議論したようなリソースのセット９５０のうちの第１、第２、および第３のサブセットを示すのと同じメッセージであり得る。さらに、ＵＥ９０４に加えて、ＵＥ９０６、９０８、９１０のような、第１の基準ＵＥタイプの他のＵＥは、ＵＥ９０６、９０８、９１０の各々に関連付けられたそれぞれの情報（たとえば、位置、シーケンスＩＤ、リソースＩＤ）をブロードキャストし得る。一態様では、ＵＥ９０４、９０６、９０８、９１０は、リソースのセット９５０のうちの第１のサブセット内の異なるリソース中で情報をブロードキャストし得る。
【００７２】
[0078]リソースのセット９５０のうちの第１のサブセット（たとえば、ステージ１）では、第２の基準ＵＥタイプの各ＵＥ（たとえば、ＵＥ９１２）およびそれら自身の位置に気付いていないＵＥの第２のセット（たとえば、ＵＥ９１４）は、第１の基準ＵＥタイプのＵＥ９０４、９０６、９０８、９１０によってブロードキャストされた情報（たとえば、位置、リソースＩＤ、シーケンスＩＤ）を含み得る、情報の第１のセットのためにリッスンまたは情報の第１のセットを受信し得る。
【００７３】
[0079]リソースのセット９５０のうちの第１のサブセット中で情報をブロードキャストした後、ＵＥ９０４は、リソースのセット９５０のうちの第２のサブセットの少なくとも１つのシンボル（たとえば、シンボル９７０）中でシーケンスＩＤに関連付けられたシーケンスをブロードキャストし得る。シーケンスは、ブロードキャストされた情報における示されたリソースＩＤ中でブロードキャストされ得る。一態様では、シーケンスは、少なくとも１つのシンボルの全帯域幅（たとえば、サブキャリアの全て）を占める。同様に、ＵＥ９０４、９０６、９０８、９１０は、前にブロードキャストされた情報中の特定の少なくとも１つのシンボル上でそれぞれシーケンス（たとえば、リソースＩＤを示すメッセージ）をブロードキャストし得る。別の態様では、ＵＥ９０４、９０６、９０８、９１０は、リソースのセット９５０のうちの第２のサブセット内の異なるシンボル中でそれぞれシーケンスをブロードキャストし得る。ブロードキャストされたシーケンスは、Ｚａｄｏｆｆ  Ｃｈｕシーケンス（またはシーケンスの別のタイプ）であり、少なくとも１つのシンボル時間およびすべての許可された帯域幅（たとえば、２０ＭＨｚ、４０ＭＨｚ、等）を占め得る。シーケンスをブロードキャストするためにより大きな帯域幅を使用することは、正確性を改善し得る。一態様では、少なくとも１つのシンボル上でシーケンスをブロードキャストすることは、より少ないリソースオーバヘッドを可能にし得る。しかしながら、図８中で議論したように、ＵＥの各々は、異なるタイミングオフセットを有し得る。たとえば、グローバル時間ｔを仮定して、ＵＥ９０４、９０６、９０８、９１０は、それぞれ、時間ｔ1、ｔ2、ｔ3、ｔ4でシーケンスを送信し得る。ＵＥ９０４、９０６、９０８、９１０の各々は、それぞれ、オフセット時間ε1、ε2、ε3、ε4を有し得る。したがって、ＵＥ９０４、９０６、９０８、９１０がシーケンスを送信する実際の時間は、それぞれ、ｔ1＋ε1、ｔ2＋ε2、ｔ3＋ε3、ｔ4＋ε4であり得る。一態様では、ＵＥ９１４は、オフセット時間ε0を有し、ＵＥ９１２は、オフセット時間ε5を有し得る。
【００７４】
[0080]リソースのセット９５０のうちの第２のサブセット（たとえば、ステージ２）では、第２の基準ＵＥタイプの各ＵＥ（たとえば、ＵＥ９１２）およびそれら自身の位置に気付いていないＵＥの第２のセット（たとえば、ＵＥ９１４）は、第１の基準ＵＥタイプのＵＥ９０４、９０６、９０８、９１０からシーケンスのセット（たとえば、ブロードキャストシーケンス）のためにリッスンするまたはシーケンスのセットを受信し得る。一態様では、シーケンスのセットにおける各シーケンスは、互いに相互に直交であり得る（たとえば、ＵＥ９０４、９０６、９０８、９１０は、相互に直交であるシーケンスに関連付けられ得るオフセットおよび８つの異なるルートインデックスの間で選択し得る）。この態様では、１つのシンボルは、１つのシーケンスより多くのシーケンスを有し得る。ブロードキャストされた情報およびシーケンスに基づいて、ＵＥ９１２およびＵＥ９１４は、ＵＥ９０４、９０６、９０８、９１０の各々の位置（またはロケーション）を知り得、それぞれのＵＥ９０４、９０６、９０８、９１０の各々から受信したシーケンスについてそれぞれの到着時間を決定することができる。到着時間は、各シーケンスが受信したときに対応し得る。
【００７５】
[0081]シーケンスのセット９５０の第３のサブセット（たとえば、ステージ３）では、第２の基準ＵＥタイプの各ＵＥ（たとえば、ＵＥ９１２）は、情報の第２のセットをブロードキャストし得る。たとえば、ＵＥ９１２は、情報の第２のセットをブロードキャストし得る。情報の第２のセットは、ＵＥ９１２の位置またはロケーションを含み得る。情報の第２のセットは、ＵＥ９１２がリソースのセット９５０のうちの第２のサブセット中でシーケンスを受信した、第１の基準ＵＥタイプのＵＥを識別する識別子を含み得る。１つの事例では、ＵＥ９１２は、ＵＥ９０４、９０６、９０８、９１０の全てからシーケンスを受信し得るが、他の事例では、干渉または距離に起因して、ＵＥ９１２は、ＵＥ９０４、９０６、９０８、９１０のサブセットからのみシーケンスを受信し得る。したがって、ＵＥ９１２、９１４は、ネットワーク条件および第１の基準ＵＥタイプのＵＥからの距離に基づいて第１の基準ＵＥタイプの異なるＵＥからシーケンスを受信し得る。情報の第２のセットは、第１の基準ＵＥタイプのＵＥ（たとえば、ＵＥ９０４、９０６、９０８、９１０）から受信したシーケンスのセットに関連付けられた、到着時間または到着の時間差のような、タイミング情報を含み得る。一態様では、到着時間差は、第１の基準ＵＥタイプの異なるＵＥ（たとえば、ＵＥ９１４とＵＥ９０６）から受信した２つのシーケンスの間の到着時間における差を表し得る。別の態様では、シーケンスの第２のセットは、ｎ個のシーケンスを有し得る。情報の第２のセットは、シーケンスがＵＥ９１２によって受信した、第１の基準ＵＥタイプのＵＥに関連付けられた識別子を含み得る（たとえば、情報の第２のセットは、ＵＥ９０４、９０６、９０８、９１０のための識別子を含み得る）。
【００７６】
[0082]別の態様では、ＵＥ９１２（および第２の基準ＵＥタイプの他のＵＥ）は、リソースのセット９５０のうちの第３のサブセットを示す、基地局９０２からのメッセージを受信し得る。メッセージはまた、リソースのセット９５０のうちの第１および第２のサブセットを示す。ＵＥ９１２は、基地局９０２から受信したメッセージに基づいてリソースのセット９５０のうちの第３のサブセット中で情報の第２のセットをブロードキャストするための少なくとも１つのリソース（たとえば、リソース９８０）を決定し得る。一態様では、ＵＥ９１２は、ランダム選択またはエネルギーベース検出を使用して、自立的に、少なくとも１つのリソースを決定し得る。別の態様では、ＵＥ９１２は、基地局９０２からのインジケーションに基づいて少なくとも１つのリソースを決定し得る。たとえば、基地局９０２は、情報の第２のセットを送信するための、リソースのセットのうちの第３のサブセットにおける少なくとも１つのリソースを示し得る。
【００７７】
[0083]ステージ３の後、ＵＥ９１４は、ＵＥ９０４、９０６、９０８、９１０の各々の識別子および位置を示すＵＥ９０４、９０６、９０８、９１０からのリソースのセット９５０のうちの第１のサブセット中で第１の情報を受信し、ＵＥ９０４、９０６、９０８、９１０からＤ２Ｄ測位のためのリソースのセット９５０のうちの第２のサブセット中でシーケンスを受信し、ＵＥ９１２から情報の第２のセットを受信してい得る。情報の第２のセットは、ＵＥ９１２の位置と、ＵＥ９１２がリソースのセット９５０のうちの第２のサブセット中でシーケンスを受信した、ＵＥ（たとえば、ＵＥ９０４、９０６、９０８、９１０の１つまたは複数）の識別子と、受信したシーケンスに関連付けられたタイミング情報とを含み得る。前述の受信した情報の第１のセットと、受信シーケンスと、受信した情報の第２のセットとに基づいて、ＵＥ９１４は、以下の式に基づいてその位置を決定し得る。
【００７８】
【数７】
0006732884.tif 000008
【００７９】
上の式を参照すると、
【００８０】
【数８】
0006732884.tif 000009
【００８１】
は、ＵＥ９０４とＵＥ９１４との間の測定された距離（たとえば、Δｔ＊ｃ）に対応し、ここで、Δｔは、シーケンスがＵＥ９０４から受信されたとき（たとえば、ＴＯＡ）と、シーケンスがＵＥ９０４によって送られたときとの間の差を表わし、ｃは、光速を表し得る。ＵＥ９０４とＵＥ９１４との間の実際の距離は、（ｘ1，ｙ1）のみがＵＥ９１４によって知られているポイント（ｘ1，ｙ1）と（ｘ0，ｙ0）との間の実際の距離であるｄ10によって表わされる。したがって、測定された距離
【００８２】
【数９】
0006732884.tif 000010
【００８３】
は、実際の距離ｄ10にＵＥ９０４、９１４の間のタイミングオフセットに起因する任意の距離（ε1−ε0）ｃを加えたものに基づき得る。同様に、
【００８４】
【数１０】
0006732884.tif 000011
【００８５】
は、ＵＥ９０６とＵＥ９１４との間の測定された距離に対応し、ｄ20は、ＵＥ９０６とＵＥ９１４との間の実際の距離を表わし、
【００８６】
【数１１】
0006732884.tif 000012
【００８７】
は、ＵＥ９０８とＵＥ９１４との間の測定された距離に対応し、ｄ30は、ＵＥ９０８とＵＥ９１４との間の実際の距離を表わし、
【００８８】
【数１２】
0006732884.tif 000013
【００８９】
は、ＵＥ９１０とＵＥ９１４との間の測定された距離に対応し、ｄ40は、ＵＥ９１０とＵＥ９１４との間の実際の距離を表わし、
【００９０】
【数１３】
0006732884.tif 000014
【００９１】
は、ＵＥ９０４とＵＥ９１２との間の測定された距離に対応し、ｄ15は、ＵＥ９０４とＵＥ９１２との間の実際の距離を表わし、
【００９２】
【数１４】
0006732884.tif 000015
【００９３】
は、ＵＥ９０６とＵＥ９１２との間の測定された距離に対応し、ｄ25は、ＵＥ９０６とＵＥ９１２との間の実際の距離を表わし、
【００９４】
【数１５】
0006732884.tif 000016
【００９５】
は、ＵＥ９０８とＵＥ９１２との間の測定された距離に対応し、ｄ35は、ＵＥ９０８とＵＥ９１２との間の実際の距離を表わし、
【００９６】
【数１６】
0006732884.tif 000017
【００９７】
は、ＵＥ９１０とＵＥ９１２との間の測定された距離に対応し、ｄ45は、ＵＥ９１０とＵＥ９１２との間の実際の距離を表わす。一態様では、ＵＥは、ＵＥ９１２から受信したタイミング情報（ＴＯＡ）に基づいて、
【００９８】
【数１７】
0006732884.tif 000018
【００９９】
を決定し得る。たとえば、
【０１００】
【数１８】
0006732884.tif 000019
【０１０１】
であり、ここで、Δｔは、シーケンスのＴＯＡとシーケンスが送られるときとの間の差である。ＵＥ９１４がリソースのセット９５０のうちの第１のサブセットにおいてＵＥ９０４、９０６、９０８、９１０によるリソースＩＤブロードキャストによって識別されたシンボル上で９０４、９０６、９０８、９１０から同じシーケンスを受信し得るので、ＵＥ９１４は、ＵＥシーケンスが送られるときを知り得る。代替として、ＵＥ９１２が各それぞれのシーケンスが情報の第２のセット中でＵＥ９０４、９０６、９０８、９１０によって送られるときについての情報を提供し得るので、ＵＥ９１４は、シーケンスが送られる時を知り得る。別の態様では、ＵＥ９１２は、ＵＥ９１４にΔｔを送ってい得る。その後、ＵＥ９１４は、以下の式を取得するために以上の式の差を取り得る：
【０１０２】
【数１９】
0006732884.tif 000020
【０１０３】
上で示すように、差を取ることにより、タイミングオフセットε0は、相殺される。代替として、式１２−１７およびより正確に
【０１０４】
【数２０】
0006732884.tif 000021
【０１０５】
についての値は、ＵＥ９１２がＵＥ９０４、９０６、９０８、９１０からＵＥ９１２によって受信されるシーケンスのＴＤＯＡを提供する場合、ＵＥ９１４によって決定され得る。この代替では、同じシーケンスがＵＥ９１４によって受信されたので、ＵＥ９１４は、シーケンスが送られた時を知り得る。別の態様では、ＵＥ９１２が、シーケンスが情報の第２のセットにおいて送られたときを示すので、ＵＥ９１４は、シーケンスが送られたときを知り得る。
【０１０６】
[0084]式１２−１７を取得した後、ＵＥ９１４は、以下の式を取得するために式１２−１７の別の差を取り得る（たとえば、いわゆる二重位相差（double difference）を取る）。
【０１０７】
【数２１】
0006732884.tif 000022
【０１０８】
[0085]式１８−２０では、残りのタイミングオフセットε0、ε1、ε3、ε4はまた、相殺される。式１８−２０を使用して、ＵＥ９１４は、ＵＥ９１４の位置に対応する２つの未知の変数ｘ0とｙ0の値を求め得る。一態様では、ＵＥ９１４は、ＲＲＣ＿ＣＯＮＮＥＣＴＥＤまたはＲＲＣ＿ＩＤＬＥモードのいずれかにおける上述のＤ２Ｄシグナリングおよびプロトコルを使用してその位置を決定し得る。
【０１０９】
[0086]図１０は、ワイヤレス通信の方法のフローチャート１０００である。方法は、ＵＥ（例えば、ＵＥ９０４、装置１３０２／１３０２’）によって実行され得る。１００２で、ＵＥは、リソースのセットのうちの第１のサブセットと、リソースのセットのうちの第２のサブセットと、リソースのセットのうちの第３のサブセットとを示す、基地局からのメッセージを受信し得る。たとえば、図９Ａを参照すると、ＵＥは、ＵＥ９０４であり得る。ＵＥ９０４は、リソースのセット９５０のうちの第１のサブセット（たとえば、ステージ１におけるリソース）、リソースのセット９５０のうちの第２のサブセット（たとえば、ステージ２におけるリソース）、およびリソースのセット９５０のうちの第３のサブセット（たとえば、ステージ３におけるリソース）を示す、基地局９０２からのメッセージを受信し得る。
【０１１０】
[0087]１００４で、ＵＥは、リソースのセットのうちの第１のサブセット中で情報をブロードキャストするための少なくとも１つのリソースを決定し得る。たとえば、図９Ａを参照すると、ＵＥ９０４は、リソースのセット９５０のうちの第１のサブセットにおける情報をブロードキャストするための少なくとも１つのリソース（たとえば、リソース９６０）を決定し得る。一態様では、少なくとも１つのリソースは、リソースのセット９５０のうちの第１のサブセットにおいて利用可能なリソースを決定することと、ランダム選択またはエネルギーベース検出を使用して少なくとも１つのリソースを選択することとによって自立的に決定され得る。別の態様では、少なくとも１つのリソースは、１００２で、メッセージにおいて、または基地局９０２からの異なるメッセージにおいて基地局によってＵＥ９０４を示すまたはＵＥ９０４に割り振られ得る。
【０１１１】
[0088]１００６で、ＵＥは、シーケンスを送信するためのリソースのセットのうちの第２のサブセットの少なくとも１つのシンボルを示す、基地局からのメッセージを受信し得る。たとえば、図９Ａを参照すると、ＵＥ９０４は、シーケンスを送信するためのリソースのセット９５０のうちの第２のサブセットの少なくとも１つのシンボルを示す、基地局からのメッセージを受信し得る。
【０１１２】
[0089]１００８で、ＵＥは、シーケンスをブロードキャストするためのリソースのセットのうちの第２のサブセットの少なくとも１つのシンボルを決定し得る。たとえば、図９Ａを参照すると、ＵＥ９０４は、シーケンスをブロードキャストするためのリソースのセットのうちの第２のサブセットの少なくとも１つのシンボルを決定し得る。一態様では、ＵＥ９０４は、１００６で、メッセージに基づいて少なくとも１つのシンボル（たとえば、シンボル９７０）を選択し得る。しかしながら、ＵＥ９０４がシーケンスを送信するために使用する少なくとも１つのシンボルを示す、基地局９０２からのメッセージを受信しない場合、その後、ＵＥ９０４は、リソースのセット９５０のうちの第２のセットにおける利用可能なシンボルを決定することと、ランダム選択またはエネルギーベース検出を使用して少なくとも１つのシンボルを選択することとによって（たとえば、ランダム選択またはエネルギーベース検出を使用して）自律的に少なくとも１つのシンボルを決定し得る。
【０１１３】
[0090]１０１０で、ＵＥは、ＵＥの位置を決定し得る。たとえば、図９Ａを参照すると、ＵＥ９０４は、ＵＥ９０４の位置を決定し得る。一態様では、ＵＥ９０４は、ＧＰＳ技術に基づいてＵＥ９０４の位置を決定し得る。この態様では、ＵＥ９０４は、衛星によってブロードキャストされた位置情報を受信し、受信した位置情報に基づいてその位置を計算し得る。別の態様では、ＵＥ９０４は、固定された位置にあり、位置は、ＵＥ９０４において事前構成され得る。
【０１１４】
[0091]１０１２で、ＵＥは、リソースのセットのうちの第１のサブセット中で情報をブロードキャストし、情報は、リソースのセットのうちの第２のサブセットに関連付けられたリソース識別子（ＩＤ）と、シーケンスＩＤと、ＵＥの位置とを含み得る。たとえば、図９Ａを参照して、ＵＥ９０４は、リソースのセットのうちの第１のサブセット中で情報をブロードキャストし、情報は、リソースのセット９５０のうちの第２のセットに関連付けられたリソース識別子（ＩＤ）と、シーケンスＩＤと、ＵＥ９０４の位置とを含み得る。
【０１１５】
[0092]１０１４で、ＵＥは、リソースのセットのうちの第２のサブセットの少なくとも１つのシンボル中でシーケンスをブロードキャストし得、少なくとも１つのシンボルは、リソースＩＤによって識別され、シーケンスは、シーケンスＩＤによって識別され得る。たとえば、図９Ａを参照すると、ＵＥ９０４は、リソースのセット９５０のうちの第２のサブセットの少なくとも１つのシンボル中でシーケンスをブロードキャストし得る。少なくとも１つのシンボルは、リソースＩＤによって識別され、シーケンスは、シーケンスＩＤによって識別され得る。たとえば、シーケンスは、Ｚａｄｏｆｆ  Ｃｈｕシーケンスであり、シーケンスＩＤは、Ｚａｄｏｆｆ  Ｃｈｕシーケンスのサイクリックシフトおよびルートインデックスに対応し得る。一態様では、シーケンスは、少なくとも１つのシンボルの全帯域幅を占める。
【０１１６】
[0093]図１１は、ワイヤレス通信の方法のフローチャート１１００である。方法は、ＵＥ（例えば、ＵＥ９１２、装置１５０２／１５０２’）によって実行され得る。１１０２で、ＵＥは、リソースのセットのうちの第１、第２、および第３のサブセットを示す、基地局からのメッセージを受信する。たとえば、図９Ａを参照すると、ＵＥ９１２は、リソースのセット９５０のうちの第１のサブセットと、第２のサブセットと、第３のサブセットとを示す、基地局からのメッセージを受信し得る。
【０１１７】
[0094]１１０４で、ＵＥは、情報の第２のセットをブロードキャストするための少なくとも１つのリソースを示す、基地局からのメッセージを受信し得る。たとえば、図９Ａを参照すると、ＵＥ９１２は、情報の第２のセットをブロードキャストするための少なくとも１つのリソース（たとえば、リソース９８０）を示す、基地局からのメッセージを受信し得る。一態様では、１１０４で、メッセージは、１１１２におけるメッセージと同じメッセージまたは異なるメッセージであり得る。
【０１１８】
[0095]１１０６で、ＵＥは、リソースのセットのうちの第３のサブセット中で情報の第２のセットをブロードキャストするための少なくとも１つのリソースを決定し得る。たとえば、ＵＥ９１２は、リソースのセット９５０のうちの第３のサブセットにおける情報の第２のセットをブロードキャストするための少なくとも１つのリソース（たとえば、リソース９８０）を決定し得る。一態様では、ＵＥ９１２が情報の第２のセットをブロードキャストブロードキャストするための少なくとも１つのリソースを示す、基地局９０２からのメッセージを受信し、その後、ＵＥ９１２は、基地局９０２からのメッセージに基づいて情報の第２のセットをブロードキャストするための少なくとも１つのリソースを決定し得る。しかしながら、ＵＥ９１２が情報の第２のセットをブロードキャストするための少なくとも１つのリソースを示す、基地局９０２からのメッセージを受信しない場合、その後、ＵＥ９１２は、リソースのセット９５０のうちの第３のセットにおける利用可能なシンボルを決定することと、ランダム選択またはエネルギーベース検出に基づいて１つまたは複数の利用可能なリソースを選択することとによって（たとえば、ランダム選択またはエネルギーベース検出）自律的に少なくとも１つのリソースを決定し得る。
【０１１９】
[0096]１１０８で、ＵＥは、複数のＵＥからリソースのセットのうちの第１のサブセット中で情報の第１のセットを受信し得る。情報の第１のセットは、複数のＵＥにおける各ＵＥのための、該各ＵＥの位置、シーケンスＩＤ、およびリソースＩＤを含み得る。たとえば、図９Ａを参照して、ＵＥ９１２は、ＵＥ９０４、９０６、９０８、９１０からリソースのセット９５０のうちの第１のサブセット中で情報の第１のセットを受信し得る。情報の第１のセットは、ＵＥ９０４、９０６、９０８、９１０の各々のための、各それぞれのＵＥの位置と、各それぞれのＵＥに関連付けられたシーケンスＩＤと、各それぞれのＵＥに関連付けられたリソースＩＤとを含み得る。
【０１２０】
[0097]１１１０で、ＵＥは、複数のＵＥからリソースのセットのうちの第２のサブセットのシンボル中でシーケンスのセットを受信し得る。シーケンスのセットにおける各シーケンスは、それぞれのシーケンスＩＤに関連付けられ、シンボルのうちの少なくとも１つのシンボル上で受信され得る。少なくとも１つのシンボルは、それぞれのリソースＩＤによって識別され得る。たとえば、図９Ａを参照して、ＵＥ９１２は、ＵＥ９０４、９０６、９０８、９１０からリソースのセット９５０のうちの第２のサブセット中で１つまたは複数のシンボル中でシーケンスのセットを受信し得る。シーケンスのセットにおける各シーケンスは、受信した情報の第１のセットにおいて示されるそれぞれのシーケンスＩＤに関連付けられ、シンボルのうちの少なくとも１つのシンボル上で受信され得る。少なくとも１つのシンボルは、受信した情報の第１のセットにおいて示されるような、それぞれのリソースＩＤによって識別され得る。一態様では、シーケンスのセットは、Ｚａｄｏｆｆ  Ｃｈｕシーケンスを含み、各それぞれシーケンスＩＤは、各それぞれのＺａｄｏｆｆ  Ｃｈｕシーケンスに関連付けられたサイクリックシフトおよびルートインデックスを含み得る。別の態様では、シーケンスのセットにおける各シーケンスは、シーケンスが送信された少なくとも１つのシンボルの全帯域幅を占め得る。
【０１２１】
[0098]ＵＥは、受信されたシーケンスのセットに関連付けられたタイミング情報を決定し得る。たとえば、図９Ａを参照すると、ＵＥ９１２は、受信したシーケンスのセットに関連付けられたタイミング情報を決定し得る。タイミング情報は、シーケンスのセットにおける各それぞれの到着時間を含み得る。タイミング情報は、シーケンスのセットにおけるシーケンスに関連付けられた到着の時間差を含み得る。タイミング情報は、シーケンスのセットにおける各シーケンスについての送信された時間を含み得る。
【０１２２】
[0099]１１１４で、ＵＥは、リソースのセットのうちの第３のサブセット中で情報の第２のセットをブロードキャストし得る。情報の第２のセットは、決定されたタイミング情報と、ＵＥに関連付けられた位置と、複数のＵＥの識別子とを含み得る。たとえば、図９Ａを参照すると、ＵＥ９１２は、リソースのセット９５０のうちの第３のサブセットにおける情報の第２のセットをブロードキャストし得る。情報の第２のセットは、情報の第２のセットをブロードキャストするための、決定された少なくとも１つのリソース中でブロードキャストされ得る。情報の第２のセットは、決定されたタイミング情報と、ＵＥ９１２に関連付けられた位置と、ＵＥ９０４、９０６、９０８、９１０の識別子とを含み得る。
【０１２３】
[00100]図１２は、ワイヤレス通信の方法のフローチャート１２００である。方法は、ＵＥ（例えば、ＵＥ９１４、装置１７０２／１７０２’）によって実行され得る。１２０２で、ＵＥは、リソースのセットのうちの第１のサブセットと、リソースのセットのうちの第２のサブセットと、リソースのセットのうちの第３のサブセットとを示す、基地局からのメッセージを受信し得る。一態様では、リソースのセットのうちの第１のサブセットと、リソースのセットのうちの第２のサブセットと、リソースのセットのうちの第３のサブセットとが周期的に現れる。たとえば、図９Ａを参照すると、ＵＥ９１４は、リソースのセット９５０のうちの第１、第２、および第３のサブセットとを示す、基地局からのメッセージを受信し得る。
【０１２４】
[00101]ＵＥは、第１の複数のＵＥからリソースのセットのうちの第１のサブセット中で情報の第１のセットを受信し得、情報の第１のセットは、第１の複数のＵＥの各ＵＥに関連付けられた識別子を備え、第１の複数のＵＥにおける各ＵＥのための、該各ＵＥのための位置と、シーケンス識別子（ＩＤ）と、リソースＩＤとを含む。たとえば、ＵＥ９１４は、ＵＥ９０４、９０６、９０８、９１０からリソースのセット９５０のうちの第１のサブセット中で情報の第１のセットを受信し得る。情報の第１のセットは、ＵＥ９０４、９０６、９０８、９１０の各々に関連付けられた識別子を含み得る。情報の第１のセットは、ＵＥ９０４、９０６、９０８、９１０の各々のための、各それぞれのＵＥの位置と、シーケンスＩＤと、リソースＩＤとを含み得る。
【０１２５】
[00102]１２０６で、ＵＥは、第１の複数のＵＥからリソースのセットのうちの第２のサブセット中でシーケンスの第１のセットを受信し得る。シーケンスの第１のセットにおける各シーケンスは、それぞれのシーケンスＩＤに関連付けられ、それぞれのリソースＩＤによって識別される少なくとも１つのシンボル上で受信され得る。一態様では、シーケンスの第１のセットは、Ｚａｄｏｆｆ  Ｃｈｕシーケンスを含み、シーケンスＩＤの各々は、それぞれのＺａｄｏｆｆ  Ｃｈｕシーケンスに関連付けられたサイクリックシフトおよびルートインデックスを含み得る。別の態様では、シーケンスの第１のセットの各シーケンスは、それぞれのシーケンスが受信された少なくとも１つのシンボルの全帯域幅を占め得る。たとえば、図９Ａを参照して、ＵＥ９１４は、ＵＥ９０４、９０６、９０８、９１０からリソースのセットのうちの第２のサブセット中でシーケンスの第１のセットを受信し得る。シーケンスの第１のセットにおける各シーケンスは、情報の第１のセットにおいて示されるそれぞれのシーケンスＩＤに関連付けられ得る。シーケンスの第１のセットにおける各シーケンスは、情報の第１のセットにおいて示されるそれぞれのリソースＩＤによって識別される少なくとも１つのシンボル上で受信され得る。
【０１２６】
[00103]１２０８で、ＵＥは、第２の複数のＵＥからリソースのセットのうちの第３のサブセット中で情報の第２のセットを受信し得る。情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを含み得る。シーケンスの第２のセットに関連付けられたＵＥの識別子と第１の複数のＵＥのうちの該各ＵＥに関連付けられた識別子は、共通の識別子を有し得る。たとえば、図９Ａを参照して、ＵＥ９１４は、ＵＥ９１２からリソースの第３のセット（たとえば、リソース９８０）の第２のサブセット中で情報の第２のセットを受信し得る。情報の第２のセットは、ＵＥ９１２の位置を含み得る。情報の第２のセットは、シーケンスの第２のセットに関連付けられたタイミング情報の第１のセットを含み得る。一態様では、シーケンスの第２のセットは、シーケンスの第１のセットと同じである、またはシーケンスの第２のセットは、シーケンスの第１のセットと部分的に異なり得る。情報の第２のセットは、ＵＥ９０４、９０６、９０８、９１０に関連付けられた識別子を含み得る。この例では、シーケンスの第２のセットに関連付けられたＵＥ９０４、９０６、９０８、９１０の識別子は、第１の複数のＵＥの各ＵＥに関連付けられた識別子と同じである。
【０１２７】
[00104]１２１０で、ＵＥは、受信した情報の第１のセットと、受信したシーケンスの第１のセットと、受信した情報の第２のセットに基づいて、ＵＥの位置を決定し得る。一態様では、ＵＥは、シーケンスの第１のセットに基づいてタイミング情報の第２のセットを決定することと、タイミング情報の第１のセットの第１のサブセットと、タイミング情報の第２のセットの第２のサブセットとに基づいてＵＥの位置を決定することとによってＵＥの位置を決定し得る。一態様では、タイミング情報の第１のセットとタイミング情報の第２のセットとは、すべて同じＵＥに関連付けられ得ない。たとえば、ＵＥ９１４は、いくつかのＵＥからのシーケンスを受信するのに十分に近い一方、ＵＥ９１２は、さらに遠く離れておりＵＥ９１４が受信するシーケンスのサブセットのみを受信し得、その逆も同様である。この態様では、タイミング情報の第１のセットの第１のサブセットとタイミング情報の第２のセットの第２のサブセットとは、サブセットが第１の基準ＵＥタイプの同じＵＥに関連付けられるように選ばれ得る。別の態様では、タイミング情報の第１および第２のセットが同じＵＥに関連付けられる場合、その結果、タイミング情報の第１のセットの第１のサブセットは、全体のタイミング情報の第１のセットを含み、タイミング情報の第２のセットの第２のサブセットは、全体のタイミング情報の第２のセットを含み得る。たとえば、図９Ａを参照して、ＵＥ９１２、９１４の両方がＵＥ９０４、９０６、９０８、９１０からシーケンスを受信すると仮定する。ＵＥ９１４は、受信した情報の第１のセットと、受信したシーケンスの第１のセットと、受信した情報の第２のセットとに基づいて、ＵＥ９１４の位置を決定し得る。ＵＥ９１４は、式１８−２０に基づいて２重位相差を決定し、ＵＥ９１４の位置ｘおよびｙの値を求める。
【０１２８】
[00105]図１３は、実例的な装置１３０２における異なるモジュール／手段／コンポーネント間のデータフローを例示する概略的なデータフロー図１３００である。装置は、ＵＥであり得る。装置は、受信モジュール１３０４と、リソースモジュール１３０６と、位置モジュール１３０８と、送信モジュール１３１０とを含み得る。位置モジュール１３０８は、装置の位置を決定し得る。送信モジュール１３１０は、（たとえばＵＥ１３６０に）リソースのセットのうちの第１のサブセット中で情報をブロードキャストし得る。情報は、リソースのセットのうちの第２のサブセットに関連付けられたリソース識別子（ＩＤ）と、シーケンスＩＤと、装置の位置とを含み得る。送信モジュール１３１０は、リソースのセットのうちの第２のサブセットの少なくとも１つのシンボル中でシーケンスをブロードキャストし得る。少なくとも１つのシンボルは、リソースＩＤによって識別され、シーケンスは、シーケンスＩＤによって識別され得る。一態様では、シーケンスは、Ｚａｄｏｆｆ  Ｃｈｕシーケンスであり、シーケンスＩＤは、Ｚａｄｏｆｆ  Ｃｈｕシーケンスに関連付けられたサイクリックシフトおよびルートインデックスを含み得る。別の態様では、シーケンスは、少なくとも１つのシンボルの全帯域幅を占め得る。１つの構成では、受信モジュール１３０４は、リソースのセットのうちの第１のサブセットと、リソースのセットのうちの第２のサブセットと、リソースのセットのうちの第３のサブセットとを示す、基地局からのメッセージを受信し得る。別の構成では、リソースモジュール１３０６は、リソースのセットのうちの第１のサブセット中で情報をブロードキャストするための少なくとも１つのリソースを決定し得る。別の構成では、リソースモジュール１３０６は、シーケンスをブロードキャストするためのリソースのセットのうちの第２のサブセットの少なくとも１つのシンボルを決定し得る。一態様では、決定は、ランダム選択またはエネルギーベース検出に基づき得る。別の構成では、リソースモジュール１３０６は、シーケンスを送信するためのリソースのセットのうちの第２のサブセットの少なくとも１つのシンボルを示す、基地局１３５０からのメッセージを受信するように構成され得る。この構成では、少なくとも１つのシンボルの決定は、受信されたメッセージに基づき得る。
【０１２９】
[00106]装置は、上述の図１０のフローチャートにおけるアルゴリズムのブロックの各々を実行する追加のモジュールを含み得る。このため、上述された図１０のフローチャートにおける各ブロックは、あるモジュールによって実行され得、装置は、それらのモジュールのうちの１つまたは複数を含み得る。モジュールは、記述されたプロセス／アルゴリズムを遂行するように特に構成されるか、記述されたプロセス／アルゴリズムを行うように構成されたプロセッサによってインプリメントされるか、プロセッサによるインプリメンテーションのためにコンピュータ可読媒体内に記憶されるか、またはこれらの何らかの組合せの、１つまたは複数のハードウェアコンポーネントであり得る。
【０１３０】
[00107]図１４は、処理システム１４１４を用いる装置１３０２’についてのハードウェアインプリメンテーションの例を例示する図１４００である。処理システム１４１４は、バス１４２４によって一般に表されるバスアーキテクチャでインプリメントされ得る。バス１４２４は、処理システム１４１４の特定のアプリケーションおよび設計制約全体に依存して、あらゆる数の相互接続バスおよびブリッジを含みうる。バス１４２４は、プロセッサ１４０４、モジュール１３０４、１３０６、１３０８、１３１０およびコンピュータ可読媒体／メモリ１４０６によって表されている１つまたは複数のプロセッサおよび／またはハードウェアモジュールを含む様々な回路を互いにリンクさせる。バス１４２４はまた、タイミングソース、周辺機器、電圧レギュレータ、および電力管理回路のような様々な他の回路をリンクさせ得、これらは、当該技術分野で周知であるので、これ以上説明されないだろう。
【０１３１】
[00108]処理システム１４１４は、トランシーバ１４１０結合され得る。トランシーバ１４１０は、１つまたは複数のアンテナ１４２０に結合される。トランシーバ１４１０は、送信媒体をわたって様々な他の装置と通信するための手段を提供する。トランシーバ１４１０は、１つまたは複数のアンテナ１４２０から信号を受信し、該受信された信号から情報を抽出し、処理システム１４１４、具体的には受信モジュール１３０４に該抽出された情報を提供する。加えて、トランシーバ１４１０は、処理システム１４１４、具体的には送信モジュール１３１０から情報を受信し、該受信された情報に基づいて、１つまたは複数のアンテナ１４２０に適用されるべき信号を生成する。処理システム１４１４は、コンピュータ可読媒体／メモリ１４０６に結合されたプロセッサ１４０４を含む。プロセッサ１４０４は、コンピュータ可読媒体／メモリ１４０６上に記憶されたソフトウェアの実行を含む、一般的な処理を担う。該ソフトウェアは、プロセッサ１４０４によって実行されるとき、処理システム１４１４に、あらゆる特定の装置について上記で説明された様々な機能を実行させる。コンピュータ可読媒体／メモリ１４０６はまた、ソフトウェアを実行するときにプロセッサ１４０４によって操作されるデータを記憶するためにも使用されうる。処理システムはさらに、モジュール１３０４、１３０６、１３０８、１３１０のうちの少なくとも１つを含む。モジュールは、プロセッサ１４０４において稼働し、コンピュータ可読媒体／メモリ１４０６に存在し／記憶されたソフトウェアモジュール、プロセッサ１４０４に結合された１つまたは複数のハードウェアモジュール、またはそれらの何らかの組合せでありうる。処理システム１４１４は、ＵＥ６５０のコンポーネントであり得、メモリ６６０、ならびに／またはＴＸプロセッサ６６８、ＲＸプロセッサ６５６、およびコントローラ／プロセッサ６５９のうちの少なくとも１つを含み得る。
【０１３２】
[00109]別の態様では、ワイヤレス通信のための装置１３０２／１３０２’は、装置の位置を決定するための手段を含む。装置は、リソースのセットのうちの第１のサブセット中で情報をブロードキャストし得る。情報は、リソースのセットのうちの第２のサブセットに関連付けられたリソース識別子（ＩＤ）と、シーケンスＩＤと、装置の位置とを含み得る。装置は、リソースのセットのうちの第２のサブセットの少なくとも１つのシンボル中でシーケンスをブロードキャストするための手段を含み得る。少なくとも１つのシンボルは、リソースＩＤによって識別され、シーケンスは、シーケンスＩＤによって識別され得る。一態様では、シーケンスは、Ｚａｄｏｆｆ  Ｃｈｕシーケンスであり、シーケンスＩＤは、Ｚａｄｏｆｆ  Ｃｈｕシーケンスに関連付けられたサイクリックシフトおよびルートインデックスを含み得る。別の態様では、シーケンスは、少なくとも１つのシンボルの全帯域幅を占め得る。１つの構成では、装置は、リソースのセットのうちの第１のサブセットと、リソースのセットのうちの第２のサブセットと、リソースのセットのうちの第３のサブセットとを示す、基地局からのメッセージを受信するための手段を含み得る。別の構成では、装置は、リソースのセットのうちの第１のサブセット中で情報をブロードキャストするための少なくとも１つのリソースを決定するための手段を含み得る。別の構成では、装置は、シーケンスをブロードキャストするためのリソースのセットのうちの第２のサブセットの少なくとも１つのシンボルを決定するための手段を含み得る。一態様では、決定は、ランダム選択またはエネルギーベース検出に基づき得る。別の構成では、装置は、シーケンスを送信するためのリソースのセットのうちの第２のサブセットの少なくとも１つのシンボルを示す、基地局からのメッセージを受信するための手段を含み得る。この構成では、少なくとも１つのシンボルの決定は、受信されたメッセージに基づき得る。上述の手段は、上述の手段によって記載された機能を実行するように構成された装置１３０２’の処理システム１４１４および／または装置１３０２の上記のモジュールのうちの１つまたは複数であり得る。上記で説明されたように、処理システム１４１４は、ＴＸプロセッサ６６８、ＲＸプロセッサ６５６、およびコントローラ／プロセッサ６５９を含みうる。このため、１つの構成において上述の手段は、上述の手段によって記載された機能を実行するように構成されたＴＸプロセッサ６６８、およびＲＸプロセッサ６５６、コントローラ／プロセッサ６５９であり得る。
【０１３３】
[00110]図１５は、実例的な装置１５０２における異なるモジュール／手段／コンポーネント間のデータフローを例示する概略的なデータフロー図１５００である。装置は、ＵＥであり得る。装置は、受信モジュール１５０４と、タイミングモジュール１５０６と、リソースモジュール１５０８と、位置モジュール１５１０と、送信モジュール１５１２とを含み得る。受信モジュール１５０４は、複数のＵＥ（たとえば、ＵＥ１５６０および第１の基準ＵＥタイプの他のＵＥ）からリソースのセットのうちの第１のサブセット中で情報の第１のセットを受信するように構成され得る。情報の第１のセットは、複数のＵＥにおける各ＵＥのための、該各ＵＥの位置、シーケンスＩＤ、およびリソースＩＤを含み得る。受信モジュール１５０４は、複数のＵＥからリソースのセットのうちの第２のサブセットのシンボル中でシーケンスのセットを受信し得る。シーケンスのセットにおける各シーケンスは、それぞれのシーケンスＩＤに関連付けられ、シンボルのうちの少なくとも１つのシンボル上で受信され得る。少なくとも１つのシンボルは、それぞれのリソースＩＤによって識別され得る。タイミングモジュール１５０６は、受信されたシーケンスのセットに関連付けられたタイミング情報を決定し得る。受信モジュール１５１２は、（たとえば、ＵＥ１５７０またはＵＥの第２のセットのうちの他のＵＥに）リソースのセットのうちの第３のサブセットにおける情報の第２のセットをブロードキャストするように構成され得る。情報の第２のセットは、決定されたタイミング情報と、装置に関連付けられた位置と、複数のＵＥの識別子とを含み得る。一態様では、シーケンスのセットは、Ｚａｄｏｆｆ  Ｃｈｕシーケンスを含み、それぞれシーケンスＩＤは、Ｚａｄｏｆｆ  Ｃｈｕシーケンスに関連付けられたサイクリックシフトおよびルートインデックスを含む。別の態様では、シーケンスのセットの各シーケンスは、少なくとも１つのシンボルの全帯域幅を占め得る。別の構成では、受信モジュール１５０４は、リソースのセットのうちの第１、第２、および第３のサブセットを示す、基地局１５５０からのメッセージを受信するように構成され得る。別の構成では、リソースモジュール１５０８は、リソースのセットのうちの第３のサブセット中で情報の第２のセットをブロードキャストするための少なくとも１つのリソースを決定し得る。一態様では、決定は、ランダム選択またはエネルギーベース検出に基づき得る。別の構成では、受信モジュール１５０４は、情報の第２のセットをブロードキャストするための少なくとも１つを示す、基地局１５５０からのメッセージを受信するように構成され得る。この構成では、少なくとも１つのリソースの決定は、受信されたメッセージに基づき得る。
【０１３４】
[00111]装置は、上述の図１１のフローチャートにおけるアルゴリズムのブロックの各々を実行する追加のモジュールを含み得る。このため、上述された図１１のフローチャートにおける各ブロックは、あるモジュールによって実行され得、装置は、それらのモジュールのうちの１つまたは複数を含み得る。モジュールは、記述されたプロセス／アルゴリズムを遂行するように特に構成されるか、記述されたプロセス／アルゴリズムを行うように構成されたプロセッサによってインプリメントされるか、プロセッサによるインプリメンテーションのためにコンピュータ可読媒体内に記憶されるか、またはこれらの何らかの組合せの、１つまたは複数のハードウェアコンポーネントであり得る。
【０１３５】
[00112]図１６は、処理システム１６１４を用いる装置１５０２’についてのハードウェアインプリメンテーションの例を例示する図１６００である。処理システム１６１４は、バス１６２４によって一般に表されるバスアーキテクチャでインプリメントされ得る。バス１６２４は、処理システム１６１４の特定のアプリケーションおよび設計制約全体に依存して、あらゆる数の相互接続バスおよびブリッジを含みうる。バス１６２４は、プロセッサ１６０４、モジュール１５０４、１５０６、１５０８、１５１０、１５１２、およびコンピュータ可読媒体／メモリ１６０６によって表される、１つまたは複数のプロセッサおよび／またはハードウェアモジュールを含む様々な回路をともにリンクする。バス１６２４はまた、タイミングソース、周辺機器、電圧レギュレータ、および電力管理回路のような様々な他の回路をリンクさせ得、これらは、当該技術分野で周知であるので、これ以上説明されないだろう。
【０１３６】
[00113]処理システム１６１４は、トランシーバ１６１０に結合され得る。トランシーバ１６１０は、１つまたは複数のアンテナ１６２０に結合される。トランシーバ１６１０は、送信媒体をわたって様々な他の装置と通信するための手段を提供する。トランシーバ１６１０は、１つまたは複数のアンテナ１６２０から信号を受信し、該受信された信号から情報を抽出し、処理システム１６１４、具体的には受信モジュール１５０４に該抽出された情報を提供する。加えて、トランシーバ１６１０は、処理システム１６１４、具体的には送信モジュール１５１２から情報を受信し、該受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６上に記憶されたソフトウェアの実行を含む、一般的な処理を担う。該ソフトウェアは、プロセッサ１６０４によって実行されるとき、処理システム１６１４に、あらゆる特定の装置について上記で説明された様々な機能を実行させる。コンピュータ可読媒体／メモリ１６０６はまた、ソフトウェアを実行するときにプロセッサ１６０４によって操作されるデータを記憶するためにも使用されうる。処理システムはさらに、モジュール１５０４、１５０６、１５０８、１５１０、１５１２のうちの少なくとも１つを含む。モジュールは、プロセッサ１６０４において稼働し、コンピュータ可読媒体／メモリ１６０６に存在し／記憶されたソフトウェアモジュール、プロセッサ１６０４に結合された１つまたは複数のハードウェアモジュール、またはそれらの何らかの組合せでありうる。処理システム１６１４は、ＵＥ６５０のコンポーネントであり得、メモリ６６０、ならびに／またはＴＸプロセッサ６６８、ＲＸプロセッサ６５６、およびコントローラ／プロセッサ６５９のうちの少なくとも１つを含み得る。
【０１３７】
[00114]１つの態様では、装置１５０２／１５０２’は、複数のＵＥからリソースのセットのうちの第１のサブセット中で情報の第１のセットを受信するための手段を含み得る。情報の第１のセットは、複数のＵＥにおける各ＵＥのための、該各ＵＥの位置、シーケンスＩＤ、およびリソースＩＤを含み得る。装置は、複数のＵＥからリソースのセットのうちの第２のサブセットのシンボル中でシーケンスのセットを受信するための手段を含み得る。シーケンスのセットにおける各シーケンスは、それぞれのシーケンスＩＤに関連付けられ、シンボルのうちの少なくとも１つのシンボル上で受信され得る。少なくとも１つのシンボルは、それぞれのリソースＩＤによって識別され得る。装置は、受信されたシーケンスのセットに関連付けられたタイミング情報を決定するための手段を含む。装置は、リソースのセットのうちの第３のサブセット中で情報の第２のセットをブロードキャストするための手段を含む。情報の第２のセットは、決定されたタイミング情報と、装置に関連付けられた位置と、複数のＵＥの識別子とを含み得る。一態様では、シーケンスのセットは、Ｚａｄｏｆｆ  Ｃｈｕシーケンスを含み、それぞれシーケンスＩＤは、Ｚａｄｏｆｆ  Ｃｈｕシーケンスに関連付けられたサイクリックシフトおよびルートインデックスを含み得る。別の態様では、シーケンスのセットの各シーケンスは、少なくとも１つのシンボルの全帯域幅を占め得る。別の構成では、装置は、リソースのセットのうちの第１、第２、および第３のサブセットを示す、基地局からのメッセージを受信するための手段を含み得る。別の構成では、装置は、リソースのセットのうちの第３のサブセット中で情報の第２のセットをブロードキャストするための少なくとも１つのリソースを決定するための手段を含み得る。一態様では、決定は、ランダム選択またはエネルギーベース検出に基づき得る。別の構成では、装置は、情報の第２のセットをブロードキャストするための少なくとも１つを示す、基地局からのメッセージを受信するように構成され得る。この構成では、少なくとも１つのリソースの決定は、受信されたメッセージに基づき得る。上述の手段は、上述の手段によって記載された機能を実行するように構成された装置１５０２’の処理システム１６１４および／または装置１５０２の上記のモジュールのうちの１つまたは複数であり得る。上記で説明されたように、処理システム１６１４は、ＴＸプロセッサ６６８、ＲＸプロセッサ６５６、およびコントローラ／プロセッサ６５９を含みうる。このため、１つの構成において上述の手段は、上述の手段によって記載された機能を実行するように構成されたＴＸプロセッサ６６８、およびＲＸプロセッサ６５６、コントローラ／プロセッサ６５９であり得る。
【０１３８】
[00115]図１７は、実例的な装置１７０２における異なるモジュール／手段／コンポーネント間のデータフローを例示する概略的なデータフロー図１７００である。装置は、ＵＥであり得る。装置は、受信モジュール１７０４、リソースモジュール１７０６、および位置モジュール１７０８を含む。受信モジュール１７０４は、第１の複数のＵＥ（たとえば、ＵＥ１７６０および第１の基準ＵＥタイプの他のＵＥ）からリソースのセットのうちの第１のサブセットにおいて情報の第１のセットを受信するように構成され得る。情報の第１のセットは、第１の複数のＵＥの各々に関連付けられた識別子を含み得る。情報の第１のセットは、第１の複数のＵＥにおける各ＵＥのための、該各ＵＥの位置、シーケンスＩＤ、およびリソースＩＤを含み得る。受信モジュール１７０４は、第１の複数のＵＥからリソースのセットのうちの第２のサブセット中でシーケンスの第１のセットを受信するように構成され得る。シーケンスの第１のセットにおける各シーケンスは、それぞれのシーケンスＩＤに関連付けられ、それぞれのリソースＩＤによって識別される少なくとも１つのシンボル上で受信され得る。受信モジュール１７０４は、第２の複数のＵＥ（たとえば、ＵＥ１７８０および第２の基準ＵＥタイプの他のＵＥ）からリソースのセットのうちの第３のサブセット中で情報の第２のセットを受信するように構成され得る。情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを含み得る。シーケンスの第２のセットに関連付けられたＵＥの識別子と第１の複数のＵＥのうちの該各ＵＥに関連付けられた識別子は、共通の識別子を有し得る。位置モジュール１７０８は、受信した情報の第１のセットと、受信したシーケンスの第１のセットと、受信した情報の第２のセットに基づいて、装置の位置を決定することを行うように構成され得る。一態様では、シーケンスの第１のセットは、Ｚａｄｏｆｆ  Ｃｈｕシーケンスを含み、シーケンスＩＤの各々は、Ｚａｄｏｆｆ  Ｃｈｕシーケンスに関連付けられたサイクリックシフトおよびルートインデックスを含み得る。別の態様では、シーケンスの第１のセットの各シーケンスは、少なくとも１つのシンボルの全帯域幅を占め得る。別の構成では、受信モジュール１７０４は、リソースのセットのうちの第１のサブセットと、リソースのセットのうちの第２のサブセットと、リソースのセットのうちの第３のサブセットとを示す、基地局１７５０からのメッセージを受信するように構成され得る。一態様では、リソースのセットのうちの第１のサブセットと、リソースのセットのうちの第２のサブセットと、リソースのセットのうちの第３のサブセットとが周期的に現れ得る。別の構成では、位置モジュール１７０８は、受信したシーケンスの第１のセットに基づいてタイミング情報の第２のセットを決定することと、タイミング情報の第１のセットの第１のサブセットと、タイミング情報の第２のセットの第２のサブセットとに基づいてＵＥの位置を決定することによって装置の位置を決定することを行うように構成され得る。
【０１３９】
[00116]装置は、上述の図１２のフローチャートにおけるアルゴリズムのブロックの各々を実行する追加のモジュールを含み得る。このため、上述された図１２のフローチャートにおける各ブロックは、あるモジュールによって実行され得、装置は、それらのモジュールのうちの１つまたは複数を含み得る。モジュールは、記述されたプロセス／アルゴリズムを遂行するように特に構成されるか、記述されたプロセス／アルゴリズムを行うように構成されたプロセッサによってインプリメントされるか、プロセッサによるインプリメンテーションのためにコンピュータ可読媒体内に記憶されるか、またはこれらの何らかの組合せの、１つまたは複数のハードウェアコンポーネントであり得る。
【０１４０】
[00117]図１８は、処理システム１８１４を用いる装置１７０２’についてのハードウェアインプリメンテーションの例を例示する図１８００である。処理システム１８１４は、バス１８２４によって一般に表されるバスアーキテクチャでインプリメントされ得る。バス１８２４は、処理システム１８１４の特定のアプリケーションおよび設計制約全体に依存して、あらゆる数の相互接続バスおよびブリッジを含みうる。バス１８２４は、プロセッサ１８０４、モジュール１７０４、１７０６、１７０８、およびコンピュータ可読媒体／メモリ１８０６によって表されている１つまたは複数のプロセッサおよび／またはハードウェアモジュールを含む様々な回路を互いにリンクさせる。バス１８２４はまた、タイミングソース、周辺機器、電圧レギュレータ、および電力管理回路のような様々な他の回路をリンクさせ得、これらは、当該技術分野で周知であるので、これ以上説明されないだろう。
【０１４１】
[00118]処理システム１８１４は、トランシーバ１８１０に結合され得る。トランシーバ１８１０は、１つまたは複数のアンテナ１８２０に結合される。トランシーバ１８１０は、送信媒体をわたって様々な他の装置と通信するための手段を提供する。トランシーバ１８１０は、１つまたは複数のアンテナ１８２０から信号を受信し、該受信された信号から情報を抽出し、処理システム１８１４、具体的には受信モジュール１７０４に該抽出された情報を提供する。加えて、トランシーバ１８１０は、処理システム１８１４から情報を受信し、受信された情報に基づいて、１つまたは複数のアンテナ１８２０に適用されるべき信号を生成する。処理システム１８１４は、コンピュータ可読媒体／メモリ１８０６に結合されたプロセッサ１８０４を含む。プロセッサ１８０４は、コンピュータ可読媒体／メモリ１８０６上に記憶されたソフトウェアの実行を含む、一般的な処理を担う。ソフトウェアは、プロセッサ１８０４によって実行されるとき、処理システム１８１４に、あらゆる特定の装置について上記で説明された様々な機能を実行させる。コンピュータ可読媒体／メモリ１８０６はまた、ソフトウェアを実行するときにプロセッサ１８０４によって操作されるデータを記憶するためにも使用されうる。処理システムはさらに、モジュール１７０４、１７０６および１７０８のうちの少なくとも１つを含む。モジュールは、プロセッサ１８０４において稼働し、コンピュータ可読媒体／メモリ１８０６に存在し／記憶されたソフトウェアモジュール、プロセッサ１８０４に結合された１つまたは複数のハードウェアモジュール、またはそれらの何らかの組合せでありうる。処理システム１８１４は、ＵＥ６５０のコンポーネントであり得、メモリ６６０、ならびに／またはＴＸプロセッサ６６８、ＲＸプロセッサ６５６、およびコントローラ／プロセッサ６５９のうちの少なくとも１つを含み得る。
【０１４２】
[00119]１つの態様では、装置１７０２／１７０２’は、第１の複数のＵＥからリソースのセットのうちの第１のサブセット中で情報の第１のセットを受信するための手段を含み得る。情報の第１のセットは、第１の複数のＥＵのうちの各ＵＥに関連付けられた識別子を含み、第１の複数のＵＥにおける各ＵＥのための、該各ＵＥの位置、シーケンスＩＤ、およびリソースＩＤを含み得る。装置は、第１の複数のＵＥからリソースのセットのうちの第２のサブセット中でシーケンスの第１のセットを受信するための手段を含み得る。シーケンスの第１のセットにおける各シーケンスは、それぞれのシーケンスＩＤに関連付けられ、それぞれのリソースＩＤによって識別される少なくとも１つのシンボル上で受信され得る。装置は、第２の複数のＵＥから、リソースのセットのうちの第３のサブセットにおいて情報の第２のセットをブロードキャストするための手段を含む。情報の第２のセットは、第２の複数のＵＥにおける各ＵＥの位置と、シーケンスの第２のセットに関連付けられたタイミング情報の第１のセットと、シーケンスの第２のセットに関連付けられたＵＥの識別子とを含み得る。シーケンスの第２のセットに関連付けられたＵＥの識別子と第１の複数のＵＥのうちの該各ＵＥに関連付けられた識別子は、共通の識別子を有し得る。装置は、受信した情報の第１のセットと、受信したシーケンスの第１のセットと、受信した情報の第２のセットに基づいて、装置の位置を決定するための手段を含む。一態様では、シーケンスの第１のセットは、Ｚａｄｏｆｆ  Ｃｈｕシーケンスを含み、シーケンスＩＤの各々は、Ｚａｄｏｆｆ  Ｃｈｕシーケンスに関連付けられたサイクリックシフトおよびルートインデックスを含み得る。別の態様では、シーケンスの第１のセットの各シーケンスは、少なくとも１つのシンボルの全帯域幅を占め得る。１つの構成では、装置は、リソースのセットのうちの第１のサブセットと、リソースのセットのうちの第２のサブセットと、リソースのセットのうちの第３のサブセットとを示す、基地局からのメッセージを受信するための手段を含み得る。一態様では、リソースのセットのうちの第１のサブセットと、リソースのセットのうちの第２のサブセットと、リソースのセットのうちの第３のサブセットとが周期的に現れ得る。別の構成では、ＵＥの位置を決定するための手段は、受信したシーケンスの第１のセットに基づいてタイミング情報の第２のセットを決定することと、タイミング情報の第１のセットの第１のサブセットと、タイミング情報の第２のセットの第２のサブセットとに基づいて装置の位置を決定することとによって位置を決定するように構成され得る。上述の手段は、上述の手段によって記載された機能を実行するように構成された装置１７０２’の処理システム１８１４および／または装置１７０２の上記のモジュールのうちの１つまたは複数であり得る。上記で説明されたように、処理システム１８１４は、ＴＸプロセッサ６６８、ＲＸプロセッサ６５６、およびコントローラ／プロセッサ６５９を含みうる。このため、１つの構成において上述の手段は、上述の手段によって記載された機能を実行するように構成されたＴＸプロセッサ６６８、およびＲＸプロセッサ６���６、コントローラ／プロセッサ６５９であり得る。
【０１４３】
[00120]開示されたプロセス／フローチャートにおけるブロックの特定の順序または階層は、例示的なアプローチの一例であるということは理解される。設計選好に基づいて、プロセス／フローチャートにおけるブロックの特定の順序または階層が並べ替えられうることは理解される。さらに、いくつかのブロックが組み合わされうる、または省略されうる。添付の方法の請求項は、サンプルの順序で様々なブロックの要素を提示しており、提示された特定の順序または階層に限定されるようには意図されていない。
【０１４４】
[00121]先の説明は、当業者が本明細書で説明されている様々な態様を実現することを可能にするために提供されている。これらの態様に対する様々な修正は、当業者にとって容易に明らかとなり、本明細書で定義される包括的な原理は他の態様に適用され得る。したがって、請求項は、本明細書で図示されている態様に限定されるようには意図されていないが、請求項の記載と一致した最大範囲を付与されることとし、ここにおいて、単数の要素への言及は、そのように特に述べられない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」として本明細書で説明されているいずれの態様も、必ずしも、他の態様よりも好まれる、または有利であると解釈されることとしない。違った形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含みうる。特に、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣのメンバーあるいは１つまたは複数のメンバーを含みうる。当業者に既知である、あるいは後に知られることになる、本開示全体にわたって説明された様々な態様のエレメントに対する全ての構造的および機能的な同等物は、参照によって本明細書に明確に組み込まれ、特許請求の範囲によって包含されるよう意図されている。さらに、本明細書で開示されたものが、特許請求の範囲に明示的に記載されているかどうかにかかわらず、そのような開示は公に寄与されることを意図したものではない。どの請求項の要素も、該要素が「〜のための手段」という表現を使用して明確に記載されていない限り、ミーンズプラスファンクションとして解釈されないこととする。
以下に、本願出願の当初の特許請求の範囲に記載された発明を付記する。
［Ｃ１］
ユーザ機器（ＵＥ）によるワイヤレス通信の方法であって、
前記ＵＥの位置を決定することと、
リソースのセットのうちの第１のサブセット中で情報をブロードキャストすること、前記情報は、前記リソースのセットのうちの第２のサブセットに関連付けられたリソース識別子（ＩＤ）と、シーケンスＩＤと、前記ＵＥの前記位置とを備える、と、
前記リソースのセットのうちの前記第２のサブセットの少なくとも１つのシンボル中でシーケンスをブロードキャストすること、前記少なくとも１つのシンボルは、前記リソースＩＤによって識別され、前記シーケンスは、前記シーケンスＩＤによって識別される、と
を備える、方法。
［Ｃ２］
前記シーケンスは、Ｚａｄｏｆｆ  Ｃｈｕシーケンスであり、前記シーケンスＩＤは、前記Ｚａｄｏｆｆ  Ｃｈｕシーケンスに関連付けられたサイクリックシフトおよびルートインデックスを備える、
［Ｃ１］に記載の方法。
［Ｃ３］
前記シーケンスは、前記少なくとも１つのシンボルの全帯域幅を占める、
［Ｃ１］に記載の方法。
［Ｃ４］
前記リソースのセットのうちの前記第１のサブセットと、前記リソースのセットのうちの前記第２のサブセットと、前記リソースのセットのうちの第３のサブセットとを示す、基地局からのメッセージを受信することをさらに備える、
［Ｃ１］に記載の方法。
［Ｃ５］
前記リソースのセットのうちの前記第１のサブセット中で前記情報をブロードキャストするための少なくとも１つのリソースを決定することをさらに備える、
［Ｃ１］に記載の方法。
［Ｃ６］
前記シーケンスをブロードキャストするための前記リソースのセットのうちの前記第２のサブセットの前記少なくとも１つのシンボルを決定することをさらに備える、
［Ｃ１］に記載の方法。
［Ｃ７］
前記決定は、ランダム選択またはエネルギーベース検出に基づく、
［Ｃ６］に記載の方法。
［Ｃ８］
前記シーケンスを送信するための前記リソースのセットのうちの前記第２のサブセットの前記少なくとも１つのシンボルを示す、基地局からのメッセージを受信することをさらに備え、前記少なくとも１つのシンボルの前記決定は、前記受信したメッセージに基づく、
［Ｃ６］に記載の方法。
［Ｃ９］
ワイヤレス通信のための装置であって、前記装置は、ユーザ機器（ＵＥ）であり、
メモリと、
前記メモリに結合される少なくとも１つのプロセッサと
を備え、前記少なくとも１つのプロセッサは、
前記ＵＥの位置を決定することと、
リソースのセットのうちの第１のサブセット中で情報をブロードキャストすること、前記情報は、前記リソースのセットのうちの第２のサブセットに関連付けられたリソース識別子（ＩＤ）と、シーケンスＩＤと、前記ＵＥの前記位置とを備える、と、
前記リソースのセットのうちの前記第２のサブセットの少なくとも１つのシンボル中でシーケンスをブロードキャストすること、前記少なくとも１つのシンボルは、前記リソースＩＤによって識別され、前記シーケンスは、前記シーケンスＩＤによって識別される、と
を行うように構成される、装置。
［Ｃ１０］
前記シーケンスは、Ｚａｄｏｆｆ  Ｃｈｕシーケンスであり、前記シーケンスＩＤは、前記Ｚａｄｏｆｆ  Ｃｈｕシーケンスに関連付けられたサイクリックシフトおよびルートインデックスを備える、
［Ｃ９］に記載の装置。
［Ｃ１１］
前記シーケンスは、前記少なくとも１つのシンボルの全帯域幅を占める、
［Ｃ９］に記載の装置。
［Ｃ１２］
前記少なくとも１つのプロセッサは、前記リソースのセットのうちの前記第１のサブセットと、前記リソースのセットのうちの前記第２のサブセットと、前記リソースのセットのうちの第３のサブセットとを示す、基地局からのメッセージを受信することを行うようにさらに構成される、
［Ｃ９］に記載の装置。
［Ｃ１３］
前記少なくとも１つのプロセッサは、前記リソースのセットのうちの前記第１のサブセット中で前記情報をブロードキャストするための少なくとも１つのリソース決定することを行うようにさらに構成される、
［Ｃ９］に記載の装置。
［Ｃ１４］
前記少なくとも１つのプロセッサは、前記シーケンスをブロードキャストするための前記リソースのセットのうちの前記第２のサブセットの前記少なくとも１つのシンボルを決定することをさらに備える、
［Ｃ９］に記載の装置。
［Ｃ１５］
前記決定は、ランダム選択またはエネルギーベース検出に基づく、
［Ｃ１４］に記載の装置。
［Ｃ１６］
前記少なくとも１つのプロセッサは、前記シーケンスを送信するための前記リソースのセットのうちの前記第２のサブセットの前記少なくとも１つのシンボルを示す、基地局からのメッセージを受信することをさらに備え、前記少なくとも１つのシンボルの前記決定は、前記受信したメッセージに基づく、
［Ｃ１４］に記載の装置。
［Ｃ１７］
ユーザ機器（ＵＥ）によるワイヤレス通信の方法であって、
複数のＵＥからリソースのセットのうちの第１のサブセット中で情報の第１のセットを受信すること、前記情報の第１のセットは、前記複数のＵＥにおける各ＵＥのための、前記各ＵＥのための位置と、シーケンス識別子（ＩＤ）と、リソースＩＤとを備える、と、
前記複数のＵＥから前記リソースのセットのうちの第２のサブセットのシンボル中でシーケンスのセットを受信すること、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定することと、
前記リソースのセットのうちの第３のサブセット中で情報の第２のセットをブロードキャストすること、前記情報の第２のセットは、前記決定されたタイミング情報と、前記ＵＥに関連付けられた位置と、前記複数のＵＥの識別子とを備える、と
を備える、方法。
［Ｃ１８］
前記シーケンスは、Ｚａｄｏｆｆ  Ｃｈｕシーケンスであり、それぞれのシーケンスＩＤは、Ｚａｄｏｆｆ  Ｃｈｕシーケンスに関連付けられたサイクリックシフトおよびルートインデックスを備える、
［Ｃ１７］に記載の方法。
［Ｃ１９］
前記シーケンスの各シーケンスは、前記少なくとも１つのシンボルの全帯域幅を占める、
［Ｃ１７］に記載の方法。
［Ｃ２０］
前記リソースのセットのうちの前記第１、第２、および第３のサブセットを示す、基地局からのメッセージを受信することをさらに備える、
［Ｃ１７］に記載の方法。
［Ｃ２１］
前記リソースのセットのうちの前記第３のサブセット中で前記情報の第２のセットをブロードキャストするための少なくとも１つのリソースを決定することをさらに備える、
［Ｃ１７］に記載の方法。
［Ｃ２２］
前記決定は、ランダム選択またはエネルギーベース検出に基づく、
［Ｃ２１］に記載の方法。
［Ｃ２３］
前記情報の第２のセットをブロードキャストするための前記少なくとも１つのリソースを示す、基地局からのメッセージを受信することをさらに備え、前記少なくとも１つのリソースの前記決定は、前記受信したメッセージに基づく、
［Ｃ２１］に記載の方法。
［Ｃ２４］
ワイヤレス通信のための装置であって、前記装置は、ユーザ機器（ＵＥ）であり、
メモリと、
前記メモリに結合される少なくとも１つのプロセッサと
を備え、前記少なくとも１つのプロセッサは、
複数のＵＥからリソースのセットのうちの第１のサブセット中で情報の第１のセットを受信すること、前記情報の第１のセットは、前記複数のＵＥにおける各ＵＥのための、前記各ＵＥのための位置と、シーケンス識別子（ＩＤ）と、リソースＩＤとを備える、と、
前記複数のＵＥから前記リソースのセットのうちの第２のサブセットのシンボル中でシーケンスのセットを受信すること、前記シーケンスのセットにおける各シーケンスは、それぞれのシーケンスＩＤに関連付けられ、前記シンボルのうちの少なくとも１つのシンボル上で受信され、前記少なくとも１つのシンボルは、それぞれリソースＩＤによって識別される、と、
前記受信されたシーケンスのセットに関連付けられたタイミング情報を決定することと、
前記リソースのセットのうちの第３のサブセット中で情報の第２のセットをブロードキャストすること、前記情報の第２のセットは、前記決定されたタイミング情報と、前記ＵＥに関連付けられた位置と、前記複数のＵＥの識別子とを備える、と
を行うように構成される、装置。
［Ｃ２５］
前記シーケンスは、Ｚａｄｏｆｆ  Ｃｈｕシーケンスであり、それぞれシーケンスＩＤは、Ｚａｄｏｆｆ  Ｃｈｕシーケンスに関連付けられたサイクリックシフトおよびルートインデックスを備える、
［Ｃ２４］に記載の装置。
［Ｃ２６］
前記シーケンスの各シーケンスは、前記少なくとも１つのシンボルの全帯域幅を占める、
［Ｃ２４］に記載の装置。
［Ｃ２７］
前記少なくとも１つのプロセッサは、前記リソースのセットのうちの前記第１、第２、および第３のサブセットを示す、基地局からのメッセージを受信することを行うようにさらに構成される、
［Ｃ２４］に記載の装置。
［Ｃ２８］
前記少なくとも１つのプロセッサは、前記リソースのセットのうちの前記第３のサブセット中で前記情報の第２のセットをブロードキャストするための少なくとも１つのリソース決定することを行うようにさらに構成される、
［Ｃ２４］に記載の装置。
［Ｃ２９］
前記決定は、ランダム選択またはエネルギーベース検出に基づく、
［Ｃ２８］に記載の装置。
［Ｃ３０］
前記少なくとも１つのプロセッサは、前記情報の第２のセットをブロードキャストするための前記少なくとも１つのリソースを示す、基地局からのメッセージを受信することを行うようにさらに構成され、前記少なくとも１つのリソースの前記決定は、前記受信したメッセージに基づく、
［Ｃ２８］に記載の装置。
【図１】
0006732884.tif 000023
【図２】
0006732884.tif 000024
【図３】
0006732884.tif 000025
【図４】
0006732884.tif 000026
【図５】
0006732884.tif 000027
【図６】
0006732884.tif 000028
【図７】
0006732884.tif 000029
【図８】
0006732884.tif 000030
【図９Ａ】
0006732884.tif 000031
【図９Ｂ】
0006732884.tif 000032
【図１０】
0006732884.tif 000033
【図１１】
0006732884.tif 000034
【図１２】
0006732884.tif 000035
【図１３】
0006732884.tif 000036
【図１４】
0006732884.tif 000037
【図１５】
0006732884.tif 000038
【図１６】
0006732884.tif 000039
【図１７】
0006732884.tif 000040
【図１８】
0006732884.tif 000041